(57)【要約】      （修正有）【課題】無線通信システムにおける資源割当方法と装置を提供する。【解決手段】基地局（ＢＳ）は、複合自動再送要求（ＨＡＲＱ）領域内の固定資源を移動端末機（ＭＳ）に割り当て、上記ＨＡＲＱ領域の位置を変更し、上記ＨＡＲＱ領域内の上記固定資源を新規ＨＡＲＱ領域内の固定資源に位置変更し、上記固定資源を上記移動端末機（ＭＳ）に割り当てる。上記新規ＨＡＲＱ領域は、上記位置変更されたＨＡＲＱ領域である。【選択図】なし【特許請求の範囲】
【請求項１】
無線通信システムにおける基地局（ＢＳ）による資源割当方法であって、
複合自動再送要求（ＨＡＲＱ）領域内の固定資源を移動端末機（ＭＳ）に割り当てるステップと、
前記ＨＡＲＱ領域の位置を変更するステップと、
前記ＨＡＲＱ領域内の前記固定資源を新規ＨＡＲＱ領域内の固定資源に位置変更し、前記新規ＨＡＲＱ領域内の前記固定資源を前記移動端末機に割り当てるステップと、を具備し、
前記新規ＨＡＲＱ領域は、前記位置変更されたＨＡＲＱ領域を有することを特徴とする資源割当方法。
【請求項２】
前記ＨＡＲＱ領域内の前記固定資源の位置情報は、前記新規ＨＡＲＱ領域内の固定資源の位置情報と同一であることを特徴とする請求項１に記載の資源割当方法。
【請求項３】
前記ＨＡＲＱ領域及び前記新規ＨＡＲＱ領域の各々がダウンリンク（ＤＬ）資源を有する場合に、前記ＨＡＲＱ領域及び前記新規ＨＡＲＱ領域の各々は、ＨＡＲＱ領域定義情報により定義され、前記ＨＡＲＱ領域定義情報は、直交周波数分割多重接続（ＯＦＤＭＡ）シンボルオフセットと、サブチャネルオフセットと、ＯＦＤＭＡシンボル個数と、サブチャネル個数と、を含み、
前記ＨＡＲＱ領域の固定領域識別子（ＩＤ）は、前記新規ＨＡＲＱ領域の固定領域識別子と同一であり、
前記ＨＡＲＱ領域内の前記固定資源の位置情報及び前記新規ＨＡＲＱ領域内の前記固定資源の位置情報の各々は、スロットオフセットを有することを特徴とする請求項２に記載の資源割当方法。
【請求項４】
前記ＨＡＲＱ領域内の前記固定資源のスロットオフセットは、前記ＨＡＲＱ領域の最小番号を有するサブチャネルで最小番号を有するＯＦＤＭＡシンボルからカウントされ、前記新規ＨＡＲＱ領域内の前記固定資源のスロットオフセットは、前記新規ＨＡＲＱ領域の最小番号を有するサブチャネルで最小番号を有するＯＦＤＭＡシンボルからカウントされることを特徴とする請求項３に記載の資源割当方法。
【請求項５】
前記ＨＡＲＱ領域及び前記新規ＨＡＲＱ領域の各々がアップリンク（ＵＬ）資源を有する場合に、前記ＨＡＲＱ領域及び前記新規ＨＡＲＱ領域の各々は、ＨＡＲＱ領域定義情報により定義され、前記ＨＡＲＱ領域定義情報は、直交周波数分割多重接続（ＯＦＤＭＡ）シンボルオフセット及びサブチャネルオフセットを含み、
前記ＨＡＲＱ領域の固定領域識別子（ＩＤ）は、前記新規ＨＡＲＱ領域の固定領域識別子と同一であり、
前記ＨＡＲＱ領域内の前記固定資源の位置情報及び前記新規ＨＡＲＱ領域内の前記固定資源の位置情報の各々は、スロットオフセットを有することを特徴とする請求項２に記載の資源割当方法。
【請求項６】
前記ＨＡＲＱ領域内の前記固定資源のスロットオフセットは、前記ＨＡＲＱ領域を定義するのに使用されたＯＦＤＭＡシンボルオフセット及びサブチャネルオフセットにより定義された開始領域からカウントされ、前記新規ＨＡＲＱ領域内の前記固定資源のスロットオフセットは、前記新規ＨＡＲＱ領域を定義するのに使用されたＯＦＤＭＡシンボルオフセット及びサブチャネルオフセットにより定義された開始領域からカウントされることを特徴とする請求項５に記載の資源割当方法。
【請求項７】
無線通信システムにおける基地局（ＢＳ）による資源割当方法であって、
複合自動再送要求（ＨＡＲＱ）領域内の固定資源を移動端末機（ＭＳ）に割り当てるために、前記ＨＡＲＱ領域のＨＡＲＱ領域定義情報と、固定領域識別子（ＩＤ）と、前記ＨＡＲＱ領域内の前記固定資源の位置情報と、を含む第１の資源割当メッセージを前記移動端末機に送信するステップと、
前記ＨＡＲＱ領域の位置が変更されると、前記位置変更されたＨＡＲＱ領域である新規ＨＡＲＱ領域の固定領域識別子を前記ＨＡＲＱ領域の固定領域識別子と同一に設定するステップと、
前記新規ＨＡＲＱ領域のＨＡＲＱ領域定義情報及び前記新規ＨＡＲＱ領域の固定領域識別子を含む第２の資源割当メッセージを前記移動端末機に送信するステップと、
を具備することを特徴とする資源割当方法。
【請求項８】
前記ＨＡＲＱ領域の前記位置が変更されると、前記ＨＡＲＱ領域内の前記固定資源を前記新規ＨＡＲＱ領域内の固定資源に位置変更し、前記新規ＨＡＲＱ領域内の前記固定資源を前記移動端末機に割り当てるステップをさらに有することを特徴とする請求項７に記載の資源割当方法。
【請求項９】
前記ＨＡＲＱ領域内の前記固定資源の前記位置情報は、前記新規ＨＡＲＱ領域内の固定資源の位置情報と同一であることを特徴とする請求項７に記載の資源割当方法。
【請求項１０】
前記ＨＡＲＱ領域及び前記新規ＨＡＲＱ領域の各々がダウンリンク（ＤＬ）資源を有する場合に、前記ＨＡＲＱ領域のＨＡＲＱ領域定義情報及び前記新規ＨＡＲＱ領域のＨＡＲＱ領域定義情報の各々は、直交周波数分割多重接続（ＯＦＤＭＡ）シンボルオフセットと、サブチャネルオフセットと、ＯＦＤＭＡシンボル個数と、サブチャネル個数と、を含み、
前記ＨＡＲＱ領域内の前記固定資源の前記位置情報及び前記新規ＨＡＲＱ領域内の前記固定資源の前記位置情報の各々は、スロットオフセットを有することを特徴とする請求項９に記載の資源割当方法。
【請求項１１】
前記ＨＡＲＱ領域内の前記固定資源のスロットオフセットは、前記ＨＡＲＱ領域の最小番号を有するサブチャネルで最小番号を有するＯＦＤＭＡシンボルからカウントされ、前記新規ＨＡＲＱ領域内の前記固定資源のスロットオフセットは、前記新規ＨＡＲＱ領域の最小番号を有するサブチャネルで最小番号を有するＯＦＤＭＡシンボルからカウントされることを特徴とする請求項１０に記載の資源割当方法。
【請求項１２】
前記ＨＡＲＱ領域及び前記新規ＨＡＲＱ領域の各々がアップリンク（ＵＬ）資源を有する場合に、前記ＨＡＲＱ領域及び前記新規ＨＡＲＱ領域の各々は、ＨＡＲＱ領域定義情報により定義され、前記ＨＡＲＱ領域定義情報は、直交周波数分割多重接続（ＯＦＤＭＡ）シンボルオフセット及びサブチャネルオフセットを含み、
前記ＨＡＲＱ領域内の前記固定資源の前記位置情報及び前記新規ＨＡＲＱ領域内の前記固定資源の前記位置情報の各々は、スロットオフセットを有することを特徴とする請求項９に記載の資源割当方法。
【請求項１３】
前記ＨＡＲＱ領域内の前記固定資源のスロットオフセットは、前記ＨＡＲＱ領域を定義するのに使用されたＯＦＤＭＡシンボルオフセット及びサブチャネルオフセットにより定義された開始領域からカウントされ、前記新規ＨＡＲＱ領域内の前記固定資源のスロットオフセットは、前記新規ＨＡＲＱ領域を定義するのに使用されたＯＦＤＭＡシンボルオフセット及びサブチャネルオフセットにより定義された開始領域からカウントされることを特徴とする請求項１２に記載の資源割当方法。
【請求項１４】
無線通信システムにおける移動端末機（ＭＳ）による資源割当方法であって、
複合自動再送要求（ＨＡＲＱ）領域内の固定資源を割り当てるために使用された第１の資源割当メッセージを受信するステップと、
前記第１の資源割当メッセージに従って前記ＨＡＲＱ領域内の固定資源の位置を決定するステップと、
前記ＨＡＲＱ領域の位置変更に従って前記ＨＡＲＱ領域内の前記固定資源を新規ＨＡＲＱ領域内の固定資源に位置変更し、前記新規ＨＡＲＱ領域内の前記固定資源を割り当てるために使用された第２の資源割当メッセージを受信するステップと、
前記ＨＡＲＱ領域内の前記固定資源の位置情報及び前記第２の資源割当メッセージに従って前記新規ＨＡＲＱ領域内の前記固定資源の位置を決定するステップと、
を具備し、
前記新規ＨＡＲＱ領域は、前記位置変更されたＨＡＲＱ領域を有することを特徴とする資源割当方法。
【請求項１５】
前記ＨＡＲＱ領域内の前記固定資源の位置情報は、前記新規ＨＡＲＱ領域内の前記固定資源の位置情報と同一であることを特徴とする請求項１４に記載の資源割当方法。
【請求項１６】
前記ＨＡＲＱ領域及び前記新規ＨＡＲＱ領域の各々がダウンリンク（ＤＬ）資源を有する場合に、前記ＨＡＲＱ領域及び前記新規ＨＡＲＱ領域の各々は、ＨＡＲＱ領域定義情報により定義され、前記ＨＡＲＱ領域定義情報は、直交周波数分割多重接続（ＯＦＤＭＡ）シンボルオフセットと、サブチャネルオフセットと、ＯＦＤＭＡシンボル個数と、サブチャネル個数と、を含み、
前記ＨＡＲＱ領域の固定領域識別子（ＩＤ）は、前記新規ＨＡＲＱ領域の固定領域識別子と実質的に同一であり、前記ＨＡＲＱ領域内の前記固定資源の前記位置情報及び前記新規ＨＡＲＱ領域内の前記固定資源の前記位置情報の各々は、スロットオフセットを有することを特徴とする請求項１５に記載の資源割当方法。
【請求項１７】
前記ＨＡＲＱ領域内の前記固定資源のスロットオフセットは、前記ＨＡＲＱ領域の最小番号を有するサブチャネルで最小番号を有するＯＦＤＭＡシンボルからカウントされ、前記新規ＨＡＲＱ領域内の前記固定資源のスロットオフセットは、前記新規ＨＡＲＱ領域の最小番号を有するサブチャネルで最小番号を有するＯＦＤＭＡシンボルからカウントされることを特徴とする請求項１６に記載の資源割当方法。
【請求項１８】
前記ＨＡＲＱ領域及び前記新規ＨＡＲＱ領域の各々がアップリンク（ＵＬ）資源を有する場合に、前記ＨＡＲＱ領域及び前記新規ＨＡＲＱ領域の各々は、ＨＡＲＱ領域定義情報により定義され、前記ＨＡＲＱ領域定義情報は、直交周波数分割多重接続（ＯＦＤＭＡ）シンボルオフセット及びサブチャネルオフセットを含み、
前記ＨＡＲＱ領域の固定領域識別子（ＩＤ）は、前記新規ＨＡＲＱ領域の固定領域識別子と実質的に同一であり、
前記ＨＡＲＱ領域内の前記固定資源の前記位置情報及び前記新規ＨＡＲＱ領域内の前記固定資源の前記位置情報の各々は、スロットオフセットを有することを特徴とする請求項１５に記載の資源割当方法。
【請求項１９】
前記ＨＡＲＱ領域内の前記固定資源のスロットオフセットは、前記ＨＡＲＱ領域を定義するのに使用されたＯＦＤＭＡシンボルオフセット及びサブチャネルオフセットにより定義された開始領域からカウントされ、前記新規ＨＡＲＱ領域内の前記固定資源のスロットオフセットは、前記新規ＨＡＲＱ領域を定義するのに使用されたＯＦＤＭＡシンボルオフセット及びサブチャネルオフセットにより定義された開始領域からカウントされることを特徴とする請求項１８に記載の資源割当方法。
【請求項２０】
無線通信システムにおける移動端末機（ＭＳ）による資源割当方法であって、
複合自動再送要求（ＨＡＲＱ）領域内の固定資源を割り当てるために、前記ＨＡＲＱ領域のＨＡＲＱ領域定義情報と、固定領域識別子（ＩＤ）と、前記ＨＡＲＱ領域内の固定資源の位置情報と、を含む第１の資源割当メッセージを受信するステップと、
前記ＨＡＲＱ領域定義情報及び前記固定領域識別子を格納するステップと、
前記第１の資源割当メッセージに従って前記ＨＡＲＱ領域内の固定資源の位置を決定するステップと、
前記格納されている固定領域識別子と同一の固定領域識別子を含む第２の資源割当メッセージを受信すると、前記ＨＡＲＱ領域内の前記固定資源の前記位置情報及び前記第２の資源割当メッセージに従って新規ＨＡＲＱ領域内の固定資源の位置を決定するステップと、を具備し、
前記新規ＨＡＲＱ領域は、前記ＨＡＲＱ領域の位置変更に従って前記位置変更されたＨＡＲＱ領域を有し、前記第２の資源割当メッセージは、前記新規ＨＡＲＱ領域のＨＡＲＱ領域定義情報及び前記固定領域識別子を含むことを特徴とする資源割当方法。
【請求項２１】
前記ＨＡＲＱ領域内の前記固定資源の前記位置情報は、前記新規ＨＡＲＱ領域内の前記固定資源の前記位置情報と同一であることを特徴とする請求項２０に記載の資源割当方法。
【請求項２２】
前記ＨＡＲＱ領域及び前記新規ＨＡＲＱ領域の各々がダウンリンク（ＤＬ）資源を有する場合に、前記ＨＡＲＱ領域のＨＡＲＱ領域定義情報及び前記新規ＨＡＲＱ領域のＨＡＲＱ領域定義情報の各々は、直交周波数分割多重接続（ＯＦＤＭＡ）シンボルオフセットと、サブチャネルオフセットと、ＯＦＤＭＡシンボル個数と、サブチャネル個数と、を含み、
前記ＨＡＲＱ領域内の前記固定資源の前記位置情報は、スロットオフセットを有することを特徴とする請求項２１に記載の資源割当方法。
【請求項２３】
前記ＨＡＲＱ領域内の前記固定資源のスロットオフセットは、前記ＨＡＲＱ領域の最小番号を有するサブチャネルで最小番号を有するＯＦＤＭＡシンボルからカウントされることを特徴とする請求項２２に記載の資源割当方法。
【請求項２４】
前記ＨＡＲＱ領域及び前記新規ＨＡＲＱ領域の各々がアップリンク（ＵＬ）資源を有する場合に、前記ＨＡＲＱ領域の前記ＨＡＲＱ領域定義情報及び前記新規ＨＡＲＱ領域の前記ＨＡＲＱ領域定義情報の各々は、直交周波数分割多重接続（ＯＦＤＭＡ）シンボルオフセット及びサブチャネルオフセットを含み、
前記ＨＡＲＱ領域内の前記固定資源の前記位置情報は、スロットオフセットを有することを特徴とする請求項２１に記載の資源割当方法。
【請求項２５】
前記ＨＡＲＱ領域内の前記固定資源のスロットオフセットは、前記ＨＡＲＱ領域の前記ＨＡＲＱ領域定義情報に含まれているＯＦＤＭＡシンボルオフセット及びサブチャネルオフセットにより定義される開始領域からカウントされることを特徴とする請求項２４に記載の資源割当方法。
【請求項２６】
前記第２の資源割当メッセージに従って前記新規ＨＡＲＱ領域内の前記固定資源の前記位置を決定するステップは、
前記ＨＡＲＱ領域内の前記固定資源の前記位置情報がスロットオフセットを有する場合に、前記新規ＨＡＲＱ領域のＨＡＲＱ領域定義情報及び前記スロットオフセットを使用して前記新規ＨＡＲＱ領域内の前記固定資源の前記位置を決定するステップを有することを特徴とする請求項２１に記載の資源割当方法。
【請求項２７】
前記新規ＨＡＲＱ領域の前記ＨＡＲＱ領域定義情報を格納するステップをさらに有することを特徴とする請求項２１に記載の資源割当方法。
【請求項２８】
無線通信システムにおける資源割当方法であって、
基地局（ＢＳ）が複合自動再送要求（ＨＡＲＱ）領域内の固定資源を移動端末機（ＭＳ）に割り当て、前記ＨＡＲＱ領域内の前記固定資源を割り当てるために使用された第１の資源割当メッセージを前記移動端末機に送信するステップと、
前記移動端末機が前記第１の資源割当メッセージを受信するステップと、
前記移動端末機が前記第１の資源割当メッセージに従って前記ＨＡＲＱ領域内の前記固定資源の位置を決定するステップと、
前記基地局が前記ＨＡＲＱ領域の位置を変更するステップと、
前記基地局が前記ＨＡＲＱ領域内の前記固定資源を新規ＨＡＲＱ領域内の固定資源に位置変更し、前記新規ＨＡＲＱ領域内の前記固定資源を前記移動端末機に割り当て、前記ＨＡＲＱ領域内の前記固定資源を前記新規ＨＡＲＱ領域内の固定資源に位置変更し、前記固定資源を前記移動端末機に割り当てるために使用された第２の資源割当メッセージを前記移動端末機に送信するステップと、
前記移動端末機が前記第２の資源割当メッセージを受信するステップと、
前記移動端末機が前記ＨＡＲＱ領域内の前記固定資源の位置情報及び前記第２の資源割当メッセージに従って前記新規ＨＡＲＱ領域内の前記固定資源の位置を決定するステップと、を具備し、
前記新規ＨＡＲＱ領域は、前記位置変更されたＨＡＲＱ領域を有することを特徴とする資源割当方法。
【請求項２９】
前記ＨＡＲＱ領域内の前記固定資源の前記位置情報は、前記新規ＨＡＲＱ領域内の前記固定資源の前記位置情報と実質的に同一であることを特徴とする請求項２８に記載の資源割当方法。
【請求項３０】
前記ＨＡＲＱ領域及び前記新規ＨＡＲＱ領域の各々がダウンリンク（ＤＬ）資源を有する場合に、前記ＨＡＲＱ領域及び前記新規ＨＡＲＱ領域の各々は、ＨＡＲＱ領域定義情報により定義され、前記ＨＡＲＱ領域定義情報は、直交周波数分割多重接続（ＯＦＤＭＡ）シンボルオフセットと、サブチャネルオフセットと、ＯＦＤＭＡシンボル個数と、サブチャネル個数と、を含み、
前記ＨＡＲＱ領域の固定領域識別子（ＩＤ）は、前記新規ＨＡＲＱ領域の固定領域識別子と実質的に同一であり、
前記ＨＡＲＱ領域内の前記固定資源の前記位置情報及び前記新規ＨＡＲＱ領域内の前記固定資源の前記位置情報の各々は、スロットオフセットを有することを特徴とする請求項２９に記載の資源割当方法。
【請求項３１】
前記ＨＡＲＱ領域内の前記固定資源のスロットオフセットは、前記ＨＡＲＱ領域の最小番号を有するサブチャネルで最小番号を有するＯＦＤＭＡシンボルからカウントされ、前記新規ＨＡＲＱ領域内の前記固定資源のスロットオフセットは、前記新規ＨＡＲＱ領域の最小番号を有するサブチャネルで最小番号を有するＯＦＤＭＡシンボルからカウントされることを特徴とする請求項３０に記載の資源割当方法。
【請求項３２】
前記ＨＡＲＱ領域及び前記新規ＨＡＲＱ領域の各々がアップリンク（ＵＬ）資源を有する場合に、前記ＨＡＲＱ領域及び前記新規ＨＡＲＱ領域の各々は、ＨＡＲＱ領域定義情報により定義され、前記ＨＡＲＱ領域定義情報は、直交周波数分割多重接続（ＯＦＤＭＡ）シンボルオフセット及びサブチャネルオフセットを含み、
前記ＨＡＲＱ領域の固定領域識別子（ＩＤ）は、前記新規ＨＡＲＱ領域の固定領域識別子と実質的に同一であり、
前記ＨＡＲＱ領域内の前記固定資源の前記位置情報及び前記新規ＨＡＲＱ領域内の前記固定資源の前記位置情報の各々は、スロットオフセットを有することを特徴とする請求項２９に記載の資源割当方法。
【請求項３３】
前記ＨＡＲＱ領域内の前記固定資源のスロットオフセットは、前記ＨＡＲＱ領域を定義するのに使用されたＯＦＤＭＡシンボルオフセット及びサブチャネルオフセットにより定義された開始領域からカウントされ、前記新規ＨＡＲＱ領域内の前記固定資源のスロットオフセットは、前記新規ＨＡＲＱ領域を定義するのに使用されたＯＦＤＭＡシンボルオフセット及びサブチャネルオフセットにより定義された開始領域からカウントされることを特徴とする請求項３２に記載の資源割当方法。
【請求項３４】
無線通信システムにおける資源割当方法であって、
基地局（ＢＳ）が複合自動再送要求（ＨＡＲＱ）領域内の固定資源を前記移動端末機に割り当てるために、前記ＨＡＲＱ領域のＨＡＲＱ領域定義情報と、固定領域識別子（ＩＤ）と、前記ＨＡＲＱ領域内の前記固定資源の位置情報と、を含む第１の資源割当メッセージを移動端末機（ＭＳ）に送信するステップと、
前記移動端末機が前記第１の資源割当メッセージを受信するステップと、
前記移動端末機が前記ＨＡＲＱ領域定義情報及び前記固定領域識別子を格納するステップと、
前記移動端末機が前記第１の資源割当メッセージに従って前記ＨＡＲＱ領域内の固定資源の位置を決定するステップと、
前記基地局が前記ＨＡＲＱ領域の位置を変更する場合に、前記位置変更されたＨＡＲＱ領域を有する新規ＨＡＲＱ領域の固定領域識別子を前記ＨＡＲＱ領域の固定領域識別子と同一に設定するステップと、
前記基地局が前記新規ＨＡＲＱ領域のＨＡＲＱ領域定義情報及び前記新規ＨＡＲＱ領域の固定領域識別子を含む第２の資源割当メッセージを前記移動端末機に送信するステップと、
前記移動端末機が前記格納されている固定領域識別子と同一の固定領域識別子を含む前記第２の資源割当メッセージを受信すると、前記ＨＡＲＱ領域内の前記固定資源の前記位置情報及び前記第２の資源割当メッセージに従って、前記新規ＨＡＲＱ領域内の固定資源の位置を決定するステップと、
を具備することを特徴とする資源割当方法。
【請求項３５】
前記基地局は、前記ＨＡＲＱ領域の前記位置が変更されると、前記ＨＡＲＱ領域内の前記固定資源を前記新規ＨＡＲＱ領域内の前記固定資源に位置変更し、前記新規ＨＡＲＱ領域内の前記固定資源を前記移動端末機に割り当てるステップをさらに有することを特徴とする請求項３４に記載の資源割当方法。
【請求項３６】
前記ＨＡＲＱ領域内の前記固定資源の前記位置情報は、前記新規ＨＡＲＱ領域内の前記固定資源の前記位置情報と同一であることを特徴とする請求項３４に記載の資源割当方法。
【請求項３７】
前記ＨＡＲＱ領域及び前記新規ＨＡＲＱ領域の各々がダウンリンク（ＤＬ）資源を有する場合に、前記ＨＡＲＱ領域の前記ＨＡＲＱ領域定義情報及び前記新規ＨＡＲＱ領域の前記ＨＡＲＱ領域定義情報の各々は、直交周波数分割多重接続（ＯＦＤＭＡ）シンボルオフセットと、サブチャネルオフセットと、ＯＦＤＭＡシンボル個数と、サブチャネル個数と、を含み、
前記ＨＡＲＱ領域内の前記固定資源の前記位置情報及び前記新規ＨＡＲＱ領域内の前記固定資源の前記位置情報の各々は、スロットオフセットを有することを特徴とする請求項３６に記載の資源割当方法。
【請求項３８】
前記ＨＡＲＱ領域内の前記固定資源のスロットオフセットは、前記ＨＡＲＱ領域の最小番号を有するサブチャネルで最小番号を有するＯＦＤＭＡシンボルからカウントされ、前記新規ＨＡＲＱ領域内の前記固定資源のスロットオフセットは、前記新規ＨＡＲＱ領域の最小番号を有するサブチャネルで最小番号を有するＯＦＤＭＡシンボルからカウントされることを特徴とする請求項３７に記載の資源割当方法。
【請求項３９】
前記ＨＡＲＱ領域及び前記新規ＨＡＲＱ領域の各々がアップリンク（ＵＬ）資源を有する場合に、前記ＨＡＲＱ領域及び前記新規ＨＡＲＱ領域の各々は、前記ＨＡＲＱ領域定義情報により定義され、前記ＨＡＲＱ領域定義情報は、直交周波数分割多重接続（ＯＦＤＭＡ）シンボルオフセット及びサブチャネルオフセットを含み、
前記ＨＡＲＱ領域内の前記固定資源の前記位置情報及び前記新規ＨＡＲＱ領域内の前記固定資源の前記位置情報の各々は、スロットオフセットを有することを特徴とする請求項３５に記載の資源割当方法。
【請求項４０】
前記ＨＡＲＱ領域内の前記固定資源のスロットオフセットは、前記ＨＡＲＱ領域を定義するのに使用されたＯＦＤＭＡシンボルオフセット及びサブチャネルオフセットにより定義された開始領域からカウントされ、前記新規ＨＡＲＱ領域内の前記固定資源のスロットオフセットは、前記新規ＨＡＲＱ領域を定義するのに使用されたＯＦＤＭＡシンボルオフセット及びサブチャネルオフセットにより定義された開始領域からカウントされることを特徴とする請求項３９に記載の資源割当方法。
【請求項４１】
前記移動端末機が前記第２の資源割当メッセージに従って前記新規ＨＡＲＱ領域内の前記固定資源の前記位置を決定するステップは、
前記ＨＡＲＱ領域内の前記固定資源の前記位置情報がスロットオフセットを有する場合に、前記新規ＨＡＲＱ領域の前記ＨＡＲＱ領域定義情報及び前記スロットオフセットを使用して前記新規ＨＡＲＱ領域内の前記固定資源の前記位置を決定するステップを有することを特徴とする請求項３４に記載の資源割当方法。
【請求項４２】
前記移動端末機が前記新規ＨＡＲＱ領域の前記ＨＡＲＱ領域定義情報を格納するステップをさらに有することを特徴とする請求項３４に記載の資源割当方法。
【請求項４３】
無線通信システムにおける基地局（ＢＳ）装置であって、
複合自動再送要求（ＨＡＲＱ）領域内の固定資源を移動端末機（ＭＳ）に割り当て、前記ＨＡＲＱ領域の位置を変更し、前記ＨＡＲＱ領域内の前記固定資源を新規ＨＡＲＱ領域内の固定資源に位置変更し、前記新規ＨＡＲＱ領域内の前記固定資源を前記移動端末機に割り当てる制御器を具備し、
前記新規ＨＡＲＱ領域は、前記位置変更されたＨＡＲＱ領域を有することを特徴とする基地局装置。
【請求項４４】
前記ＨＡＲＱ領域内の前記固定資源の前記位置情報は、前記新規ＨＡＲＱ領域内の前記固定資源の前記位置情報と同一であることを特徴とする請求項４３に記載の基地局装置。
【請求項４５】
前記ＨＡＲＱ領域及び前記新規ＨＡＲＱ領域の各々がダウンリンク（ＤＬ）資源を有する場合に、前記ＨＡＲＱ領域及び前記新規ＨＡＲＱ領域の各々は、ＨＡＲＱ領域定義情報により定義され、前記ＨＡＲＱ領域定義情報は、直交周波数分割多重接続（ＯＦＤＭＡ）シンボルオフセットと、サブチャネルオフセットと、ＯＦＤＭＡシンボル個数と、サブチャネル個数と、を含み、
前記ＨＡＲＱ領域の固定領域識別子（ＩＤ）は、前記新規ＨＡＲＱ領域の固定領域識別子と実質的に同一であり、
前記ＨＡＲＱ領域内の前記固定資源の前記位置情報及び前記新規ＨＡＲＱ領域内の前記固定資源の前記位置情報の各々は、スロットオフセットを有することを特徴とする請求項４４に記載の基地局装置。
【請求項４６】
前記ＨＡＲＱ領域内の前記固定資源のスロットオフセットは、前記ＨＡＲＱ領域の最小番号を有するサブチャネルで最小番号を有するＯＦＤＭＡシンボルからカウントされ、前記新規ＨＡＲＱ領域内の前記固定資源のスロットオフセットは、前記新規ＨＡＲＱ領域の最小番号を有するサブチャネルで最小番号を有するＯＦＤＭＡシンボルからカウントされることを特徴とする請求項４５に記載の基地局装置。
【請求項４７】
前記ＨＡＲＱ領域及び前記新規ＨＡＲＱ領域の各々がアップリンク（ＵＬ）資源を有する場合に、前記ＨＡＲＱ領域及び前記新規ＨＡＲＱ領域の各々は、ＨＡＲＱ領域定義情報により定義され、前記ＨＡＲＱ領域定義情報は、直交周波数分割多重接続（ＯＦＤＭＡ）シンボルオフセット及びサブチャネルオフセットを含み、
前記ＨＡＲＱ領域の固定領域識別子（ＩＤ）は、前記新規ＨＡＲＱ領域の固定領域識別子と実質的に同一であり、
前記ＨＡＲＱ領域内の前記固定資源の前記位置情報及び前記新規ＨＡＲＱ領域内の前記固定資源の前記位置情報の各々は、スロットオフセットを有することを特徴とする請求項４４に記載の基地局装置。
【請求項４８】
前記ＨＡＲＱ領域内の前記固定資源のスロットオフセットは、前記ＨＡＲＱ領域を定義するのに使用されたＯＦＤＭＡシンボルオフセット及びサブチャネルオフセットにより定義された開始領域からカウントされ、前記新規ＨＡＲＱ領域内の前記固定資源のスロットオフセットは、前記新規ＨＡＲＱ領域を定義するのに使用されたＯＦＤＭＡシンボルオフセット及びサブチャネルオフセットにより定義された開始領域からカウントされることを特徴とする請求項４７に記載の基地局装置。
【請求項４９】
無線通信システムにおける基地局（ＢＳ）装置であって、
複合自動再送要求（ＨＡＲＱ）領域内の固定資源を移動端末機（ＭＳ）に割り当てるために、前記ＨＡＲＱ領域のＨＡＲＱ領域定義情報と、固定領域識別子（ＩＤ）と、前記ＨＡＲＱ領域内の前記固定資源の位置情報と、を含む第１の資源割当メッセージを前記移動端末機に送信し、新規ＨＡＲＱ領域のＨＡＲＱ領域定義情報及び固定領域識別子を含む第２の資源割当メッセージを前記移動端末機に送信する送信器と、
前記ＨＡＲＱ領域の位置が変更されると、前記位置変更されたＨＡＲＱ領域を含む前記新規ＨＡＲＱ領域の固定領域識別子を前記ＨＡＲＱ領域の固定領域識別子と同一に設定する制御器と、
を具備することを特徴とする基地局装置。
【請求項５０】
前記制御器は、前記ＨＡＲＱ領域の前記位置が変更されると、前記ＨＡＲＱ領域内の前記固定資源を前記新規ＨＡＲＱ領域内の前記固定資源に位置変更し、前記新規ＨＡＲＱ領域内の固定資源を前記移動端末機に割り当てることを特徴とする請求項４９に記載の基地局装置。
【請求項５１】
前記ＨＡＲＱ領域内の前記固定資源の前記位置情報は、前記新規ＨＡＲＱ領域内の前記固定資源の前記位置情報と同一であることを特徴とする請求項４９に記載の基地局装置。
【請求項５２】
前記ＨＡＲＱ領域及び前記新規ＨＡＲＱ領域の各々がダウンリンク（ＤＬ）資源を有する場合に、前記ＨＡＲＱ領域の前記ＨＡＲＱ領域定義情報及び前記新規ＨＡＲＱ領域の前記ＨＡＲＱ領域定義情報の各々は、直交周波数分割多重接続（ＯＦＤＭＡ）シンボルオフセットと、サブチャネルオフセットと、ＯＦＤＭＡシンボル個数と、サブチャネル個数と、を含み、
前記ＨＡＲＱ領域内の前記固定資源の前記位置情報及び前記新規ＨＡＲＱ領域内の前記固定資源の前記位置情報の各々は、スロットオフセットを有することを特徴とする請求項５１に記載の基地局装置。
【請求項５３】
前記ＨＡＲＱ領域内の前記固定資源のスロットオフセットは、前記ＨＡＲＱ領域の最小番号を有するサブチャネルで最小番号を有するＯＦＤＭＡシンボルからカウントされ、前記新規ＨＡＲＱ領域内の前記固定資源のスロットオフセットは、前記新規ＨＡＲＱ領域の最小番号を有するサブチャネルで最小番号を有するＯＦＤＭＡシンボルからカウントされることを特徴とする請求項５２に記載の基地局装置。
【請求項５４】
前記ＨＡＲＱ領域及び前記新規ＨＡＲＱ領域の各々がアップリンク（ＵＬ）資源を有する場合に、前記ＨＡＲＱ領域及び前記新規ＨＡＲＱ領域の各々は、ＨＡＲＱ領域定義情報により定義され、前記ＨＡＲＱ領域定義情報は、直交周波数分割多重接続（ＯＦＤＭＡ）シンボルオフセット及びサブチャネルオフセットを含み、
前記ＨＡＲＱ領域内の前記固定資源の前記位置情報及び前記新規ＨＡＲＱ領域内の前記固定資源の前記位置情報の各々は、スロットオフセットを有することを特徴とする請求項５１に記載の基地局装置。
【請求項５５】
前記ＨＡＲＱ領域内の前記固定資源のスロットオフセットは、前記ＨＡＲＱ領域を定義するのに使用されたＯＦＤＭＡシンボルオフセット及びサブチャネルオフセットにより定義された開始領域からカウントされ、前記新規ＨＡＲＱ領域内の前記固定資源のスロットオフセットは、前記新規ＨＡＲＱ領域を定義するのに使用されたＯＦＤＭＡシンボルオフセット及びサブチャネルオフセットにより定義された開始領域からカウントされることを特徴とする請求項５４に記載の基地局装置。
【請求項５６】
無線通信システムにおける移動端末機（ＭＳ）装置であって、
複合自動再送要求（ＨＡＲＱ）領域内の固定資源を割り当てるために使用された第１の資源割当メッセージを受信し、前記ＨＡＲＱ領域の位置変更に従って前記ＨＡＲＱ領域内の前記固定資源を新規ＨＡＲＱ領域内の固定資源に位置変更し、前記新規ＨＡＲＱ領域内の前記固定資源を割り当てるために使用された第２の資源割当メッセージを受信する受信器と、
前記第１の資源割当メッセージに従って前記ＨＡＲＱ領域内の前記固定資源の位置を決定し、前記ＨＡＲＱ領域内の前記固定資源の位置情報及び前記第２の資源割当メッセージに従って前記新規ＨＡＲＱ領域内の前記固定資源の位置を決定する制御器と、を具備し、
前記新規ＨＡＲＱ領域は、前記位置変更されたＨＡＲＱ領域を有することを特徴とする移動端末機装置。
【請求項５７】
前記ＨＡＲＱ領域内の前記固定資源の前記位置情報は、前記新規ＨＡＲＱ領域内の前記固定資源の前記位置情報と同一であることを特徴とする請求項５６に記載の移動端末機装置。
【請求項５８】
前記ＨＡＲＱ領域及び前記新規ＨＡＲＱ領域の各々がダウンリンク（ＤＬ）資源を有する場合に、前記ＨＡＲＱ領域及び前記新規ＨＡＲＱ領域の各々は、ＨＡＲＱ領域定義情報により定義され、前記ＨＡＲＱ領域定義情報は、直交周波数分割多重接続（ＯＦＤＭＡ）シンボルオフセットと、サブチャネルオフセットと、ＯＦＤＭＡシンボル個数と、サブチャネル個数と、を含み、
前記ＨＡＲＱ領域の固定領域識別子（ＩＤ）は、前記新規ＨＡＲＱ領域の固定領域識別子と同一であり、前記ＨＡＲＱ領域内の前記固定資源の前記位置情報及び前記新規ＨＡＲＱ領域内の前記固定資源の前記位置情報の各々は、スロットオフセットを有することを特徴とする請求項５７に記載の移動端末機装置。
【請求項５９】
前記ＨＡＲＱ領域内の前記固定資源のスロットオフセットは、前記ＨＡＲＱ領域の最小番号を有するサブチャネルで最小番号を有するＯＦＤＭＡシンボルからカウントされ、前記新規ＨＡＲＱ領域内の前記固定資源のスロットオフセットは、前記新規ＨＡＲＱ領域の最小番号を有するサブチャネルで最小番号を有するＯＦＤＭＡシンボルからカウントされることを特徴とする請求項５８に記載の移動端末機装置。
【請求項６０】
前記ＨＡＲＱ領域及び前記新規ＨＡＲＱ領域の各々がアップリンク（ＵＬ）資源を有する場合に、前記ＨＡＲＱ領域及び前記新規ＨＡＲＱ領域の各々は、ＨＡＲＱ領域定義情報により定義され、前記ＨＡＲＱ領域定義情報は、直交周波数分割多重接続（ＯＦＤＭＡ）シンボルオフセット及びサブチャネルオフセットを含み、
前記ＨＡＲＱ領域の固定領域識別子（ＩＤ）は、前記新規ＨＡＲＱ領域の固定領域識別子と実質的に同一であり、
前記ＨＡＲＱ領域内の前記固定資源の前記位置情報及び前記新規ＨＡＲＱ領域内の前記固定資源の前記位置情報の各々は、スロットオフセットを有することを特徴とする請求項５７に記載の移動端末機装置。
【請求項６１】
前記ＨＡＲＱ領域内の前記固定資源のスロットオフセットは、前記ＨＡＲＱ領域を定義するのに使用されたＯＦＤＭＡシンボルオフセット及びサブチャネルオフセットにより定義された開始領域からカウントされ、前記新規ＨＡＲＱ領域内の前記固定資源のスロットオフセットは、前記新規ＨＡＲＱ領域を定義するのに使用されたＯＦＤＭＡシンボルオフセット及びサブチャネルオフセットにより定義された開始領域からカウントされることを特徴とする請求項６０に記載の移動端末機装置。
【請求項６２】
無線通信システムにおける移動端末機（ＭＳ）装置であって、
複合自動再送要求（ＨＡＲＱ）領域内の固定資源を割り当てるために、前記ＨＡＲＱ領域のＨＡＲＱ領域定義情報と、固定領域識別子（ＩＤ）と、前記ＨＡＲＱ領域内の前記固定資源の位置情報と、を含む第１の資源割当メッセージを受信し、固定領域識別子を含む第２の資源割当メッセージを受信する受信器と、
前記ＨＡＲＱ領域定義情報及び前記固定領域識別子を格納し、前記第１の資源割当メッセージに従って前記ＨＡＲＱ領域内の固定資源の位置を決定し、前記第２の資源割当メッセージに含まれている固定領域識別子が前記格納されている固定領域識別子と同一であれば、前記ＨＡＲＱ領域内の前記固定資源の位置情報及び前記第２の資源割当メッセージに従って新規ＨＡＲＱ領域内の固定資源の位置を決定する制御器と、を具備し、
前記新規ＨＡＲＱ領域は、前記ＨＡＲＱ領域の位置変更に従って前記位置変更されたＨＡＲＱ領域を有し、前記第２の資源割当メッセージは、前記新規ＨＡＲＱ領域のＨＡＲＱ領域定義情報及び前記固定領域識別子を含むことを特徴とする移動端末機装置。
【請求項６３】
前記ＨＡＲＱ領域内の前記固定資源の前記位置情報は、前記新規ＨＡＲＱ領域内の前記固定資源の前記位置情報と同一であることを特徴とする請求項６２に記載の移動端末機装置。
【請求項６４】
前記ＨＡＲＱ領域及び前記新規ＨＡＲＱ領域の各々がダウンリンク（ＤＬ）資源を有する場合に、前記ＨＡＲＱ領域のＨＡＲＱ領域定義情報及び前記新規ＨＡＲＱ領域のＨＡＲＱ領域定義情報の各々は、直交周波数分割多重接続（ＯＦＤＭＡ）シンボルオフセットと、サブチャネルオフセットと、ＯＦＤＭＡシンボル個数と、サブチャネル個数と、を含み、
前記ＨＡＲＱ領域内の前記固定資源の前記位置情報は、スロットオフセットを有することを特徴とする請求項６３に記載の移動端末機装置。
【請求項６５】
前記ＨＡＲＱ領域内の前記固定資源のスロットオフセットは、前記ＨＡＲＱ領域の最小番号を有するサブチャネルで最小番号を有するＯＦＤＭＡシンボルからカウントされることを特徴とする請求項６４に記載の移動端末機装置。
【請求項６６】
前記ＨＡＲＱ領域及び前記新規ＨＡＲＱ領域の各々がアップリンク（ＵＬ）資源を有する場合に、前記ＨＡＲＱ領域の前記ＨＡＲＱ領域定義情報及び前記新規ＨＡＲＱ領域の前記ＨＡＲＱ領域定義情報の各々は、直交周波数分割多重接続（ＯＦＤＭＡ）シンボルオフセット及びサブチャネルオフセットを含み、
前記ＨＡＲＱ領域内の前記固定資源の前記位置情報は、スロットオフセットを有することを特徴とする請求項６３に記載の移動端末機装置。
【請求項６７】
前記ＨＡＲＱ領域内の前記固定資源のスロットオフセットは、前記ＨＡＲＱ領域の前記ＨＡＲＱ領域定義情報に含まれているＯＦＤＭＡシンボルオフセット及びサブチャネルオフセットにより定義される開始領域からカウントされることを特徴とする請求項６６に記載の移動端末機装置。
【請求項６８】
前記ＨＡＲＱ領域内の前記固定資源の前記位置情報がスロットオフセットを有する場合に、前記制御器は、前記新規ＨＡＲＱ領域のＨＡＲＱ領域定義情報及び前記スロットオフセットを使用して前記新規ＨＡＲＱ領域内の前記固定資源の前記位置を決定することを特徴とする請求項６３に記載の移動端末機装置。
【請求項６９】
前記制御器は、前記新規ＨＡＲＱ領域の前記ＨＡＲＱ領域定義情報を格納することを特徴とする請求項６３に記載の移動端末機装置。
【請求項７０】
無線通信システムであって、
複合自動再送要求（ＨＡＲＱ）領域内の固定資源を移動端末機（ＭＳ）に割り当て、前記ＨＡＲＱ領域内の前記固定資源を割り当てるために使用された第１の資源割当メッセージを前記移動端末機に送信し、前記ＨＡＲＱ領域の位置を変更し、前記ＨＡＲＱ領域内の前記固定資源を新規ＨＡＲＱ領域内の固定資源に位置変更し、前記新規ＨＡＲＱ領域内の前記固定資源を前記移動端末機に割り当て、前記ＨＡＲＱ領域内の前記固定資源を前記新規ＨＡＲＱ領域内の前記固定資源に位置変更し、前記新規ＨＡＲＱ領域内の前記固定資源を前記移動端末機に割り当てるために使用された第２の資源割当メッセージを前記移動端末機に送信する基地局（ＢＳ）と、
前記第１の資源割当メッセージを受信し、前記第１の資源割当メッセージに従って前記ＨＡＲＱ領域内の固定資源の位置を決定し、前記第２の資源割当メッセージを受信し、前記ＨＡＲＱ領域内の前記固定資源の位置情報及び前記第２の資源割当メッセージに従って前記新規ＨＡＲＱ領域内の前記固定資源の位置を決定する移動端末機と、を具備し、
前記新規ＨＡＲＱ領域は、前記位置変更されたＨＡＲＱ領域を有することを特徴とする無線通信システム。
【請求項７１】
前記ＨＡＲＱ領域内の前記固定資源の前記位置情報は、前記新規ＨＡＲＱ領域内の前記固定資源の前記位置情報と同一であることを特徴とする請求項７０に記載の無線通信システム。
【請求項７２】
前記ＨＡＲＱ領域及び前記新規ＨＡＲＱ領域の各々がダウンリンク（ＤＬ）資源を有する場合に、前記ＨＡＲＱ領域及び前記新規ＨＡＲＱ領域の各々は、ＨＡＲＱ領域定義情報により定義され、前記ＨＡＲＱ領域定義情報は、直交周波数分割多重接続（ＯＦＤＭＡ）シンボルオフセットと、サブチャネルオフセットと、ＯＦＤＭＡシンボル個数と、サブチャネル個数と、を含み、
前記ＨＡＲＱ領域の固定領域識別子（ＩＤ）は、前記新規ＨＡＲＱ領域の固定領域識別子と同一であり、
前記ＨＡＲＱ領域内の前記固定資源の前記位置情報及び前記新規ＨＡＲＱ領域内の前記固定資源の前記位置情報の各々は、スロットオフセットを有することを特徴とする請求項７１に記載の無線通信システム。
【請求項７３】
前記ＨＡＲＱ領域内の前記固定資源のスロットオフセットは、前記ＨＡＲＱ領域の最小番号を有するサブチャネルで最小番号を有するＯＦＤＭＡシンボルからカウントされ、前記新規ＨＡＲＱ領域内の前記固定資源のスロットオフセットは、前記新規ＨＡＲＱ領域の最小番号を有するサブチャネルで最小番号を有するＯＦＤＭＡシンボルからカウントされることを特徴とする請求項７２に記載の無線通信システム。
【請求項７４】
前記ＨＡＲＱ領域及び前記新規ＨＡＲＱ領域の各々がアップリンク（ＵＬ）資源を有する場合に、前記ＨＡＲＱ領域及び前記新規ＨＡＲＱ領域の各々は、ＨＡＲＱ領域定義情報により定義され、前記ＨＡＲＱ領域定義情報は、直交周波数分割多重接続（ＯＦＤＭＡ）シンボルオフセット及びサブチャネルオフセットを含み、
前記ＨＡＲＱ領域の固定領域識別子（ＩＤ）は、前記新規ＨＡＲＱ領域の固定領域識別子と実質的に同一であり、
前記ＨＡＲＱ領域内の前記固定資源の前記位置情報及び前記新規ＨＡＲＱ領域内の前記固定資源の前記位置情報の各々は、スロットオフセットを有することを特徴とする請求項７１に記載の無線通信システム。
【請求項７５】
前記ＨＡＲＱ領域内の前記固定資源のスロットオフセットは、前記ＨＡＲＱ領域を定義するのに使用されたＯＦＤＭＡシンボルオフセット及びサブチャネルオフセットにより定義された開始領域からカウントされ、前記新規ＨＡＲＱ領域内の前記固定資源のスロットオフセットは、前記新規ＨＡＲＱ領域を定義するのに使用されたＯＦＤＭＡシンボルオフセット及びサブチャネルオフセットにより定義された開始領域からカウントされることを特徴とする請求項７４に記載の無線通信システム。
【請求項７６】
無線通信システムであって、
複合自動再送要求（ＨＡＲＱ）領域内の固定資源を移動端末機（ＭＳ）に割り当てるために、前記ＨＡＲＱ領域のＨＡＲＱ領域定義情報と、固定領域識別子（ＩＤ）と、前記ＨＡＲＱ領域内の前記固定資源の位置情報と、を含む第１の資源割当メッセージを前記移動端末機に送信し、前記ＨＡＲＱ領域の位置が変更されると、前記位置変更されたＨＡＲＱ領域である新規ＨＡＲＱ領域の固定領域識別子を前記ＨＡＲＱ領域の固定領域識別子と同一に設定し、前記新規ＨＡＲＱ領域のＨＡＲＱ領域定義情報及び前記新規ＨＡＲＱ領域の固定領域識別子を含む第２の資源割当メッセージを前記移動端末機に送信する基地局と、
前記第１の資源割当メッセージを受信し、前記ＨＡＲＱ領域定義情報及び前記固定領域識別子を格納し、前記第１の資源割当メッセージに従って前記ＨＡＲＱ領域内の固定資源の位置を決定し、前記格納されている固定領域識別子と同一の固定領域識別子を含む前記第２の資源割当メッセージを受信すると、前記ＨＡＲＱ領域内の前記固定資源の前記位置情報及び前記第２の資源割当メッセージに従って、前記新規ＨＡＲＱ領域内の固定資源の位置を決定する移動端末機と、
を含むことを特徴とする無線通信システム。
【請求項７７】
前記ＨＡＲＱ領域の前記位置が変更されると、前記基地局は、前記ＨＡＲＱ領域内の前記固定資源を前記新規ＨＡＲＱ領域内の前記固定資源に位置変更し、前記新規ＨＡＲＱ領域内の前記固定資源を前記移動端末機に割り当てることを特徴とする請求項７６に記載の無線通信システム。
【請求項７８】
前記ＨＡＲＱ領域内の前記固定資源の前記位置情報は、前記新規ＨＡＲＱ領域内の前記固定資源の前記位置情報と同一であることを特徴とする請求項７６に記載の無線通信システム。
【請求項７９】
前記ＨＡＲＱ領域及び前記新規ＨＡＲＱ領域の各々がダウンリンク（ＤＬ）資源を有する場合に、前記ＨＡＲＱ領域のＨＡＲＱ領域定義情報及び前記新規ＨＡＲＱ領域のＨＡＲＱ領域定義情報の各々は、直交周波数分割多重接続（ＯＦＤＭＡ）シンボルオフセットと、サブチャネルオフセットと、ＯＦＤＭＡシンボル個数と、サブチャネル個数と、を含み、
前記ＨＡＲＱ領域内の前記固定資源の前記位置情報及び前記新規ＨＡＲＱ領域内の前記固定資源の前記位置情報の各々は、スロットオフセットを有することを特徴とする請求項７８に記載の無線通信システム。
【請求項８０】
前記ＨＡＲＱ領域内の前記固定資源の前記スロットオフセットは、前記ＨＡＲＱ領域の最小番号を有するサブチャネルで最小番号を有するＯＦＤＭＡシンボルからカウントされ、前記新規ＨＡＲＱ領域内の前記固定資源の前記スロットオフセットは、前記新規ＨＡＲＱ領域の最小番号を有するサブチャネルで最小番号を有するＯＦＤＭＡシンボルからカウントされることを特徴とする請求項７９に記載の無線通信システム。
【請求項８１】
前記ＨＡＲＱ領域及び前記新規ＨＡＲＱ領域の各々がアップリンク（ＵＬ）資源を有する場合に、前記ＨＡＲＱ領域及び前記新規ＨＡＲＱ領域の各々は、ＨＡＲＱ領域定義情報により定義され、前記ＨＡＲＱ領域定義情報は、直交周波数分割多重接続（ＯＦＤＭＡ）シンボルオフセット及びサブチャネルオフセットを含み、
前記ＨＡＲＱ領域内の前記固定資源の前記位置情報及び前記新規ＨＡＲＱ領域内の前記固定資源の前記位置情報の各々は、スロットオフセットを有することを特徴とする請求項７７に記載の無線通信システム。
【請求項８２】
前記ＨＡＲＱ領域内の前記固定資源のスロットオフセットは、前記ＨＡＲＱ領域を定義するのに使用されたＯＦＤＭＡシンボルオフセット及びサブチャネルオフセットにより定義された開始領域からカウントされ、前記新規ＨＡＲＱ領域内の前記固定資源のスロットオフセットは、前記新規ＨＡＲＱ領域を定義するのに使用されたＯＦＤＭＡシンボルオフセット及びサブチャネルオフセットにより定義された開始領域からカウントされることを特徴とする請求項８１に記載の無線通信システム。
【請求項８３】
前記ＨＡＲＱ領域内の前記固定資源の前記位置情報がスロットオフセットを有する場合に、前記移動端末機は、前記新規ＨＡＲＱ領域のＨＡＲＱ領域定義情報及び前記スロットオフセットを使用して前記新規ＨＡＲＱ領域内の前記固定資源の前記位置を決定することを特徴とする請求項７６に記載の無線通信システム。
【請求項８４】
前記移動端末機は、前記新規ＨＡＲＱ領域の前記ＨＡＲＱ領域定義情報を格納することを特徴とする請求項７６に記載の無線通信システム。
【発明の詳細な説明】
【技術分野】
【０００１】
本発明は、無線通信システムにおいて資源を割り当てるための方法と装置及びそのシステムに関する。特に、本発明は、固定スケジューリング（persistent scheduling）方式を使用する無線通信システムにおける資源を割り当てる方法と装置及びそのシステムに関する。
【背景技術】
【０００２】
次世代通信システムは、移動端末機（Mobile Station；以下、“ＭＳ”と称する）に多様な高速の大容量データサービスを提供するために開発が進められている。次世代通信システムの代表的な例では、ＩＥＥＥ（Institute of Electrical and Electronics Engineers）８０２．１６通信システムと、モバイルワイマックス（Mobile WiMAX（Worldwide Interoperability for Microwave Access）；以下、“モバイルＷｉＭＡＸ”と称する）通信システムなどがある。このモバイルＷｉＭＡＸ通信システムは、ＩＥＥＥ８０２．１６標準に基づいた通信システムである。
【０００３】
図１を参照して、従来のＩＥＥＥ８０２．１６通信システムで固定スケジューリング方式を使用してダウンリンク（DownLink：以下、“ＤＬ”と称する）資源を割り当てる方法について説明する。
【０００４】
図１は、従来のＩＥＥＥ８０２．１６通信システムで固定スケジューリング方式を使用してＤＬ資源を割り当てる方法を概略的に示す図である。
【０００５】
図１を参照すると、基地局（Base Station：以下、“ＢＳ”と称する）は、固定スケジューリング方式を使用して複合自動再送要求（Hybrid Automatic Repeat Request：以下、“ＨＡＲＱ”と称する）領域１００の固定資源１２０を任意のＭＳ、例えば、ＭＳ１に割り当てる。固定資源１２０をＭＳ１に割り当てた後に、ＢＳは、固定ＨＡＲＱ ＤＬ ＭＡＰ情報エレメント（Persistent HARQ DL MAP IE（Information Element）：以下、“固定ＨＡＲＱ ＤＬ ＭＡＰ ＩＥ”と称する）を含むＤＬ ＭＡＰメッセージを使用してＭＳ１に固定資源１２０に関する資源割当情報を送信する。
【０００６】
固定ＨＡＲＱ ＤＬ ＭＡＰ ＩＥは、ＨＡＲＱ領域１００のＨＡＲＱ領域定義情報と、ＨＡＲＱ領域１００を識別するための固定領域識別子（Persistent Region ID（Identifier））と、スロットオフセットと、期間（Duration）情報とを含む。ＨＡＲＱ領域定義情報は、直交周波数分割多重接続（Orthogonal Frequency Division Multiple Access：以下、“ＯＦＤＭＡ”と称する）シンボルオフセットと、サブチャネルオフセットと、ＯＦＤＭＡシンボル個数と、サブチャネル個数とを含む。
【０００７】
ＨＡＲＱ領域１００は、ＯＦＤＭＡシンボルオフセット、サブチャネルオフセット、ＯＦＤＭＡシンボル個数、及びサブチャネル個数により定義される。すなわち、ＨＡＲＱ領域１００は、開始領域１１０に基づいてＯＦＤＭＡシンボル個数に対応するＯＦＤＭＡシンボル及びサブチャネル個数に対応するサブチャネルにより占有される２次元領域を示す。ここで、開始領域１１０は、ＨＡＲＱ領域１００の最小番号を有するサブチャネルで最小番号を有するＯＦＤＭＡシンボルに対応する領域を示し、例えば、スロットであると仮定する。また、固定資源１２０は、開始領域１１０からスロットオフセットに対応する個数のスロットだけ離隔した位置から、期間に関する情報に対応するスロットを含む。
【０００８】
図２を参照して、従来のＩＥＥＥ８０２．１６通信システムで固定スケジューリング方式を使用してアップリンク（UpLink：以下、“ＵＬ”と称する）資源を割り当てる方法について説明する。
【０００９】
図２は、従来のＩＥＥＥ８０２．１６通信システムで固定スケジューリング方式を使用してＵＬ資源を割り当てる方法を概略的に示す図である。
【００１０】
図２を参照すると、ＢＳは、ＨＡＲＱ領域の開始領域２１０で固定スケジューリング方式を使用して固定資源２２０を任意のＭＳ、例えば、ＭＳ１に割り当てる。ＢＳは、固定資源２２０をＭＳ１に割り当てた後に、固定ＨＡＲＱ ＵＬ ＭＡＰ ＩＥを含むＵＬ ＭＡＰメッセージを使用して固定資源２２０に関する資源割当情報をＭＳ１に送信する。
【００１１】
固定ＨＡＲＱ ＵＬ ＭＡＰ ＩＥは、ＨＡＲＱ領域定義情報と、ＨＡＲＱ領域を識別するための固定領域ＩＤと、スロットオフセットと、期間情報とを含む。ＨＡＲＱ領域定義情報は、ＯＦＤＭＡシンボルオフセットとサブチャネルオフセットとを含む。ここで、ＨＡＲＱ領域は、ＯＦＤＭＡシンボルオフセット及びサブチャネルオフセットにより定義される。すなわち、ＤＬとは異なり、ＵＬでは、ＨＡＲＱ領域が２次元でない１次元で定義されるので、ＨＡＲＱ領域は、開始領域２１０から始まって１次元で定義される。ここで、開始領域２１０は、ＨＡＲＱ領域の最小番号を有するサブチャネルで最小番号を有するＯＦＤＭＡシンボルに対応するスロットを示す。また、固定資源２２０は、開始領域２１０からスロットオフセットに対応する個数のスロットだけ離隔した位置から、期間に関する情報に対応するスロットを含む。
【００１２】
一般的に、固定スケジューリング方式を使用してＭＳに割り当てられた資源は、ＢＳがＭＳに対する資源割当てを解除するか、又はＭＳに割り当てられた資源を変更しない限り、周期的フレームごとに、例えば、Ｐフレームごとに変更されず固定的に維持される。しかしながら、ＩＥＥＥ８０２．１６ｅ通信システムは、ＨＡＲＱ領域の位置をフレームごとに可変的に管理することができる。このように、ＨＡＲＱ領域の位置が変更される場合に、固定スケジューリング方式を使用して資源を固定的に割り当てることが難しい場合が発生し得る。
【発明の開示】
【発明が解決しようとする課題】
【００１３】
本発明は、上述した問題点や欠点を解決し下記のような利点を提供するために提案されたものであり、その目的は、無線通信システムにおける資源割当方法と装置及びそのシステムを提供することにある。
【００１４】
本発明の他の目的は、無線通信システムにおけるＨＡＲＱ領域の位置変更を考慮して資源を割り当てる方法と装置及びそのシステムを提供することにある。
【課題を解決するための手段】
【００１５】
上記のような目的を達成するために、本発明の実施形態の一態様によれば、無線通信システムにおける基地局（ＢＳ）によって資源を割当てる方法を提供する。かかる方法は、複合自動再送要求（ＨＡＲＱ）領域内の固定資源を移動端末機（ＭＳ）に割り当てるステップと、上記ＨＡＲＱ領域の位置を変更するステップと、上記ＨＡＲＱ領域内の上記固定資源を新規ＨＡＲＱ領域内の固定資源に位置変更し、上記新規ＨＡＲＱ領域内の上記固定資源を上記移動端末機に割り当てるステップと、を含む。上記新規ＨＡＲＱ領域は、上記位置変更されたＨＡＲＱ領域を有する。
【００１６】
本発明の実施形態の他の態様によれば、無線通信システムにおける基地局（ＢＳ）によって資源を割当てる方法を提供する。かかる方法は、複合自動再送要求（ＨＡＲＱ）領域内の固定資源を移動端末機（ＭＳ）に割り当てるために、上記ＨＡＲＱ領域のＨＡＲＱ領域定義情報と、固定領域識別子（ＩＤ）と、上記ＨＡＲＱ領域内の上記固定資源の位置情報と、を含む第１の資源割当メッセージを上記移動端末機に送信するステップと、上記ＨＡＲＱ領域の位置が変更されると、上記位置変更されたＨＡＲＱ領域である新規ＨＡＲＱ領域の固定領域識別子を上記ＨＡＲＱ領域の固定領域識別子と同一に設定するステップと、上記新規ＨＡＲＱ領域のＨＡＲＱ領域定義情報及び上記新規ＨＡＲＱ領域の固定領域識別子を含む第２の資源割当メッセージを上記移動端末機に送信するステップと、を含む。
【００１７】
本発明の実施形態のさらに他の態様によれば、無線通信システムにおける移動端末機（ＭＳ）によって資源を割当てる方法を提供する。かかる方法は、複合自動再送要求（ＨＡＲＱ）領域内の固定資源を割り当てるために使用された第１の資源割当メッセージを受信するステップと、上記第１の資源割当メッセージに従って上記ＨＡＲＱ領域内の固定資源の位置を決定するステップと、上記ＨＡＲＱ領域の位置変更に従って上記ＨＡＲＱ領域内の上記固定資源を新規ＨＡＲＱ領域内の固定資源に位置変更し、上記新規ＨＡＲＱ領域内の上記固定資源を割り当てるために使用された第２の資源割当メッセージを受信するステップと、上記ＨＡＲＱ領域内の上記固定資源の位置情報及び上記第２の資源割当メッセージに従って上記新規ＨＡＲＱ領域内の上記固定資源の位置を決定するステップと、を含む。上記新規ＨＡＲＱ領域は、上記位置変更されたＨＡＲＱ領域を有する。
【００１８】
本発明の実施形態のさらなる他の態様によれば、無線通信システムにおける移動端末機（ＭＳ）によって資源を割当てる方法を提供する。かかる方法は、複合自動再送要求（ＨＡＲＱ）領域内の固定資源を割り当てるために、上記ＨＡＲＱ領域のＨＡＲＱ領域定義情報と、固定領域識別子（ＩＤ）と、上記ＨＡＲＱ領域内の固定資源の位置情報と、を含む第１の資源割当メッセージを受信するステップと、上記ＨＡＲＱ領域定義情報及び上記固定領域識別子を格納するステップと、上記第１の資源割当メッセージに従って上記ＨＡＲＱ領域内の固定資源の位置を決定するステップと、上記格納されている固定領域識別子と同一の固定領域識別子を含む第２の資源割当メッセージを受信すると、上記ＨＡＲＱ領域内の上記固定資源の上記位置情報及び上記第２の資源割当メッセージに従って新規ＨＡＲＱ領域内の固定資源の位置を決定するステップと、を含む。上記新規ＨＡＲＱ領域は、上記ＨＡＲＱ領域の位置変更に従って上記位置変更されたＨＡＲＱ領域を有し、上記第２の資源割当メッセージは、上記新規ＨＡＲＱ領域のＨＡＲＱ領域定義情報及び上記固定領域識別子を含む。
【００１９】
本発明の実施形態のさらに他の１つの態様によれば、無線通信システムにおける資源割当方法を提供する。かかる方法は、基地局（ＢＳ）が複合自動再送要求（ＨＡＲＱ）領域内の固定資源を移動端末機（ＭＳ）に割り当て、上記ＨＡＲＱ領域内の上記固定資源を割り当てるために使用された第１の資源割当メッセージを上記移動端末機に送信するステップと、上記移動端末機が上記第１の資源割当メッセージを受信するステップと、上記移動端末機が上記第１の資源割当メッセージに従って上記ＨＡＲＱ領域内の上記固定資源の位置を決定するステップと、上記基地局が上記ＨＡＲＱ領域の位置を変更するステップと、上記基地局が上記ＨＡＲＱ領域内の上記固定資源を新規ＨＡＲＱ領域内の固定資源に位置変更し、上記新規ＨＡＲＱ領域内の上記固定資源を上記移動端末機に割り当て、上記ＨＡＲＱ領域内の上記固定資源を上記新規ＨＡＲＱ領域内の固定資源に位置変更し、上記固定資源を上記移動端末機に割り当てるために使用された第２の資源割当メッセージを上記移動端末機に送信するステップと、上記移動端末機が上記第２の資源割当メッセージを受信するステップと、上記移動端末機が上記ＨＡＲＱ領域内の上記固定資源の位置情報及び上記第２の資源割当メッセージに従って上記新規ＨＡＲＱ領域内の上記固定資源の位置を決定するステップと、を含む。上記新規ＨＡＲＱ領域は、上記位置変更されたＨＡＲＱ領域を有する。
【００２０】
本発明の実施形態のさらにまた他の態様によれば、無線通信システムにおける資源割当方法を提供する。かかる方法は、基地局（ＢＳ）が複合自動再送要求（ＨＡＲＱ）領域内の固定資源を上記移動端末機に割り当てるために、上記ＨＡＲＱ領域のＨＡＲＱ領域定義情報と、固定領域識別子（ＩＤ）と、上記ＨＡＲＱ領域内の上記固定資源の位置情報と、を含む第１の資源割当メッセージを移動端末機（ＭＳ）に送信するステップと、上記移動端末機が上記第１の資源割当メッセージを受信するステップと、上記移動端末機が上記ＨＡＲＱ領域定義情報及び上記固定領域識別子を格納するステップと、上記移動端末機が上記第１の資源割当メッセージに従って上記ＨＡＲＱ領域内の固定資源の位置を決定するステップと、上記基地局が上記ＨＡＲＱ領域の位置を変更する場合に、上記位置変更されたＨＡＲＱ領域を有する新規ＨＡＲＱ領域の固定領域識別子を上記ＨＡＲＱ領域の固定領域識別子と同一に設定するステップと、上記基地局が上記新規ＨＡＲＱ領域のＨＡＲＱ領域定義情報及び上記新規ＨＡＲＱ領域の固定領域識別子を含む第２の資源割当メッセージを上記移動端末機に送信するステップと、上記移動端末機が上記格納されている固定領域識別子と同一の固定領域識別子を含む上記第２の資源割当メッセージを受信すると、上記ＨＡＲＱ領域内の上記固定資源の上記位置情報及び上記第２の資源割当メッセージに従って、上記新規ＨＡＲＱ領域内の固定資源の位置を決定するステップと、を含む。
【００２１】
本発明の実施形態のさらにまた他の態様によれば、無線通信システムにおける基地局（ＢＳ）装置を提供する。かかる装置は、複合自動再送要求（ＨＡＲＱ）領域内の固定資源を移動端末機（ＭＳ）に割り当て、上記ＨＡＲＱ領域の位置を変更し、上記ＨＡＲＱ領域内の上記固定資源を新規ＨＡＲＱ領域内の固定資源に位置変更し、上記新規ＨＡＲＱ領域内の上記固定資源を上記移動端末機に割り当てる制御器を含む。上記新規ＨＡＲＱ領域は、上記位置変更されたＨＡＲＱ領域を有する。
【００２２】
本発明の実施形態のさらなる他の態様によれば、無線通信システムにおける基地局（ＢＳ）装置を提供する。かかる基地局装置は、複合自動再送要求（ＨＡＲＱ）領域内の固定資源を移動端末機（ＭＳ）に割り当てるために、上記ＨＡＲＱ領域のＨＡＲＱ領域定義情報と、固定領域識別子（ＩＤ）と、上記ＨＡＲＱ領域内の上記固定資源の位置情報と、を含む第１の資源割当メッセージを上記移動端末機に送信し、新規ＨＡＲＱ領域のＨＡＲＱ領域定義情報及び固定領域識別子を含む第２の資源割当メッセージを上記移動端末機に送信する送信器と、上記ＨＡＲＱ領域の位置が変更されると、上記位置変更されたＨＡＲＱ領域を含む上記新規ＨＡＲＱ領域の固定領域識別子を上記ＨＡＲＱ領域の固定領域識別子と同一に設定する制御器と、を含む。
【００２３】
本発明の実施形態のさらにまた他の態様によれば、無線通信システムにおける移動端末機（ＭＳ）装置を提供する。かかる移動端末機装置は、複合自動再送要求（ＨＡＲＱ）領域内の固定資源を割り当てるために使用された第１の資源割当メッセージを受信し、上記ＨＡＲＱ領域の位置変更に従って上記ＨＡＲＱ領域内の上記固定資源を新規ＨＡＲＱ領域内の固定資源に位置変更し、上記新規ＨＡＲＱ領域内の上記固定資源を割り当てるために使用された第２の資源割当メッセージを受信する受信器と、上記第１の資源割当メッセージに従って上記ＨＡＲＱ領域内の上記固定資源の位置を決定し、上記ＨＡＲＱ領域内の上記固定資源の位置情報及び上記第２の資源割当メッセージに従って上記新規ＨＡＲＱ領域内の上記固定資源の位置を決定する制御器と、を含む。上記新規ＨＡＲＱ領域は、上記位置変更されたＨＡＲＱ領域を有する。
【００２４】
本発明の実施形態のさらなる他の態様によれば、無線通信システムにおける移動端末機（ＭＳ）装置を提供する。かかる装置は、複合自動再送要求（ＨＡＲＱ）領域内の固定資源を割り当てるために、上記ＨＡＲＱ領域のＨＡＲＱ領域定義情報と、固定領域識別子（ＩＤ）と、上記ＨＡＲＱ領域内の上記固定資源の位置情報と、を含む第１の資源割当メッセージを受信し、固定領域識別子を含む第２の資源割当メッセージを受信する受信器と、上記ＨＡＲＱ領域定義情報及び上記固定領域識別子を格納し、上記第１の資源割当メッセージに従って上記ＨＡＲＱ領域内の固定資源の位置を決定し、上記第２の資源割当メッセージに含まれている固定領域識別子が上記格納されている固定領域識別子と同一であれば、上記ＨＡＲＱ領域内の上記固定資源の位置情報及び上記第２の資源割当メッセージに従って新規ＨＡＲＱ領域内の固定資源の位置を決定する制御器と、を含む。上記新規ＨＡＲＱ領域は、上記ＨＡＲＱ領域の位置変更に従って上記位置変更されたＨＡＲＱ領域を有し、上記第２の資源割当メッセージは、上記新規ＨＡＲＱ領域のＨＡＲＱ領域定義情報及び上記固定領域識別子を含む。
【００２５】
本発明の実施形態のさらにまた他の態様によれば、無線通信システムを提供する。かかるシステムは、複合自動再送要求（ＨＡＲＱ）領域内の固定資源を移動端末機（ＭＳ）に割り当て、上記ＨＡＲＱ領域内の上記固定資源を割り当てるために使用された第１の資源割当メッセージを上記移動端末機に送信し、上記ＨＡＲＱ領域の位置を変更し、上記ＨＡＲＱ領域内の上記固定資源を新規ＨＡＲＱ領域内の固定資源に位置変更し、上記新規ＨＡＲＱ領域内の上記固定資源を上記移動端末機に割り当て、上記ＨＡＲＱ領域内の上記固定資源を上記新規ＨＡＲＱ領域内の上記固定資源に位置変更し、上記新規ＨＡＲＱ領域内の上記固定資源を上記移動端末機に割り当てるために使用された第２の資源割当メッセージを上記移動端末機に送信する基地局（ＢＳ）と、上記第１の資源割当メッセージを受信し、上記第１の資源割当メッセージに従って上記ＨＡＲＱ領域内の固定資源の位置を決定し、上記第２の資源割当メッセージを受信し、上記ＨＡＲＱ領域内の上記固定資源の位置情報及び上記第２の資源割当メッセージに従って上記新規ＨＡＲＱ領域内の上記固定資源の位置を決定する移動端末機と、を含む。上記新規ＨＡＲＱ領域は、上記位置変更されたＨＡＲＱ領域を有する。
【００２６】
本発明の実施形態のさらにその他の態様によれば、無線通信システムを提供する。かかるシステムは、複合自動再送要求（ＨＡＲＱ）領域内の固定資源を移動端末機（ＭＳ）に割り当てるために、上記ＨＡＲＱ領域のＨＡＲＱ領域定義情報と、固定領域識別子（ＩＤ）と、上記ＨＡＲＱ領域内の上記固定資源の位置情報と、を含む第１の資源割当メッセージを上記移動端末機に送信し、上記ＨＡＲＱ領域の位置が変更されると、上記位置変更されたＨＡＲＱ領域である新規ＨＡＲＱ領域の固定領域識別子を上記ＨＡＲＱ領域の固定領域識別子と同一に設定し、上記新規ＨＡＲＱ領域のＨＡＲＱ領域定義情報及び上記新規ＨＡＲＱ領域の固定領域識別子を含む第２の資源割当メッセージを上記移動端末機に送信する基地局と、上記第１の資源割当メッセージを受信し、上記ＨＡＲＱ領域定義情報及び上記固定領域識別子を格納し、上記第１の資源割当メッセージに従って上記ＨＡＲＱ領域内の固定資源の位置を決定し、上記格納されている固定領域識別子と同一の固定領域識別子を含む上記第２の資源割当メッセージを受信すると、上記ＨＡＲＱ領域内の上記固定資源の上記位置情報及び上記第２の資源割当メッセージに従って、上記新規ＨＡＲＱ領域内の固定資源の位置を決定する移動端末機と、を含む。
【発明を実施するための最良の形態】
【００２７】
本発明の他の目的、利点、及び顕著な特徴は、添付の図面及び本発明の実施形態からなされた以下の詳細な説明から、この分野の熟練者に明確になるはずである。
【００２８】
添付の図面を参照した下記の説明は、特許請求の範囲の記載及びこれと均等なものの範囲内で定められるような本発明の実施形態の包括的な理解を助けるために提供されたものであり、この理解を助けるための様々な特定の詳細を含むが、ただ１つの実施形態にすぎない。したがって、本発明の範囲及び趣旨を逸脱することなく、ここに説明された実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００２９】
本発明の実施形態は、無線通信システムにおける資源割当方法と装置及びそのシステムを提案する。また、本発明の実施形態は、無線通信システムにおいて、固定スケジューリング方式を使用する場合に、複合自動再送要求（Hybrid Automatic Repeat Request：以下、“ＨＡＲＱ”と称する）領域の位置変更を考慮して資源を固定的に割り当てる資源割当方法と装置及びそのシステムを提案する。本発明では、無線通信システムの一例として、ＩＥＥＥ（Institute of Electrical and Electronics Engineers）８０２．１６通信システムを仮定しているが、ＩＥＥＥ８０２．１６通信システムだけでなく、モバイルワイマックス（Mobile WiMAX（Worldwide Interoperability for Microwave Access）：以下、“モバイルＷｉＭＡＸ”と称する）通信システムのような他の無線通信システムでも本発明で提案する資源割当方法と装置及びそのシステムを使用することができる。また、ここで使用される'ＨＡＲＱ領域の固定資源’の用語は、ＨＡＲＱ領域内に割り当てられる固定資源を意味し、'新規ＨＡＲＱ領域の固定資源’の用語は、新規ＨＡＲＱ領域内に割り当てられる固定資源を意味する。
【００３０】
図３は、本発明の実施形態によるＩＥＥＥ８０２．１６通信システムにおける基地局（Base Station：以下、“ＢＳ”と称する）が固定スケジューリング方式を使用してダウンリンク（DownLink：以下、“ＤＬ”と称する）資源を割り当てる手続きを示すフローチャートである。
【００３１】
図３を参照すると、ステップ３１１で、ＢＳは、ＨＡＲＱ領域の固定資源を任意の移動端末機（Mobile Station：以下、“ＭＳ”と称する）に割り当てる。ステップ３１３で、ＢＳは、固定ＨＡＲＱ ＤＬ ＭＡＰ情報エレメント（Information Element：以下、“ＩＥ”と称する）を含むＤＬ ＭＡＰメッセージを生成し、この生成されたＤＬ ＭＡＰメッセージをＭＳに送信した後に、ステップ３１５に進む。ここで、固定ＨＡＲＱ ＤＬ ＭＡＰ ＩＥは、ＨＡＲＱ領域のＨＡＲＱ領域定義情報と、ＨＡＲＱ領域を識別するための固定領域識別子（Identifier：以下、“ＩＤ”と称する）と、スロットオフセットと、期間（Duration）情報と、を含む。ＨＡＲＱ領域定義情報は、直交周波数分割多重接続（Orthogonal Frequency Division Multiple Access：以下、“ＯＦＤＭＡ”と称する）シンボルオフセットと、サブチャネルオフセットと、ＯＦＤＭＡシンボル個数（Number of OFDMA symbol）と、サブチャネル個数（Number of subchannel）と、を含む。ここで、ＨＡＲＱ領域は、ＯＦＤＭＡシンボルオフセット、サブチャネルオフセット、ＯＦＤＭＡシンボル個数、及びサブチャネル個数により定義される。すなわち、ＨＡＲＱ領域は、開始領域に基づいてＯＦＤＭＡシンボル個数に対応するＯＦＤＭＡシンボル及びサブチャネル個数に対応するサブチャネルにより占有される２次元領域を示す。ここで、この開始領域は、ＨＡＲＱ領域の最小番号を有するサブチャネルで最小番号を有するＯＦＤＭＡシンボルに対応する領域を示し、例えば、スロットであると仮定する。また、割り当てられた固定資源は、開始領域からスロットオフセットに対応する個数のスロットだけ離隔した位置から、期間に関する情報に対応するスロットを含む。結局、このスロットオフセットは、この固定資源の位置情報である。
【００３２】
ステップ３１５で、ＢＳは、ＨＡＲＱ領域の位置が変更される必要があることを検出すると、ＨＡＲＱ領域の位置を変更した後に、ステップ３１７に進む。ＨＡＲＱ領域の位置が変更される必要がある場合は、様々に存在することができる。まず、ＭＡＰ領域のサイズが増加するとともにＨＡＲＱ領域の位置も変更される場合である。すなわち、この場合に、ＭＡＰ領域は、特定のフレーム、例えば、フレーム＃（Ｋ＋２Ｐ）が前のフレーム、例えば、フレーム＃（Ｋ＋Ｐ）に比べて割り当てられる資源の量が増加するか、又は送信される媒体アクセス制御（Medium Access Control：以下、“ＭＡＣ”と称する）管理メッセージの個数が増加する際に、ＨＡＲＱ領域と衝突するので、フレーム＃（Ｋ＋２Ｐ）のＭＡＰ領域サイズは、フレーム＃（Ｋ＋Ｐ）のＭＡＰ領域サイズよりさらに大きい。２番目に、ＩＥＥＥ８０２．１６ｅ通信システムのＤＬサブフレームとアップリンク（UpLink：以下、“ＵＬ”と称する）サブフレームとの比が変更される場合である。すなわち、この場合に、ＨＡＲＱ領域の位置は、ＤＬサブフレーム及びＵＬサブフレームの位置の変更により変更される。３番目に、フレーム内で非ＨＡＲＱ（non-HARQ）領域が変更される場合である。すなわち、この場合に、ＨＡＲＱ領域の位置は、非ＨＡＲＱ領域の変更により変更される。一方、ＢＳは、スケジューリング動作を介してＨＡＲＱ領域の位置が変更される必要があることを検出することができる。
【００３３】
ステップ３１７で、ＢＳは、ＨＡＲＱ領域の固定資源をこの位置変更されたＨＡＲＱ領域、すなわち、新規ＨＡＲＱ領域の固定資源に変更し、この変更された固定資源をＭＳに割り当てた後に、ステップ３１９に進む。ＢＳがＨＡＲＱ領域の固定資源を新規ＨＡＲＱ領域の固定資源に位置変更し、この変更された固定資源をＭＳに割り当てる過程について具体的に説明すると、次のとおりである。
【００３４】
まず、新規ＨＡＲＱ領域の位置は、ＨＡＲＱ領域の位置とは異なり、また、新規ＨＡＲＱ領域を示すＨＡＲＱ領域定義情報もＨＡＲＱ領域のＨＡＲＱ領域定義情報とは異なる。したがって、ＢＳは、ＭＳに割り当てられたＨＡＲＱ領域の固定資源を、新規ＨＡＲＱ領域の開始領域からスロットオフセットに対応する個数のスロットだけ離隔した位置から、期間に関する情報に対応するスロットに位置変更し、その後、この固定資源を割り当てる。
【００３５】
ステップ３１９で、ＢＳは、固定ＨＡＲＱ ＤＬ ＭＡＰ ＩＥを含むＤＬ ＭＡＰメッセージを生成し、この生成されたＤＬ ＭＡＰメッセージをＭＳに送信する。ここで、固定ＨＡＲＱ ＤＬ ＭＡＰ ＩＥは、新規ＨＡＲＱ領域のＨＡＲＱ領域定義情報及び固定領域ＩＤだけを含んでもよいし、スロットオフセット及び期間情報を含まなくてもよい。また、新規ＨＡＲＱ領域のＨＡＲＱ領域定義情報は、ＯＦＤＭＡシンボルオフセットと、サブチャネルオフセットと、ＯＦＤＭＡシンボル個数と、サブチャネル個数と、を含む。もちろん、ステップ３１９で説明した固定ＨＡＲＱ ＤＬ ＭＡＰ ＩＥに含まれている固定領域ＩＤは、ステップ３１３で説明した固定ＨＡＲＱ ＤＬ ＭＡＰ ＩＥに含まれている固定領域ＩＤと同一である。図３で説明した通り、ＢＳが資源をＭＳに固定的に割り当てる場合に、ＨＡＲＱ領域の位置が変更されるとしても、スロットオフセット及び期間情報を固定ＨＡＲＱ ＤＬ ＭＡＰ ＩＥに個別に含む必要がない。
【００３６】
次いで、図４を参照して、本発明の実施形態によるＩＥＥＥ８０２．１６通信システムにおけるＭＳが、ＢＳで固定スケジューリング方式を使用して割り当てたＤＬ固定資源の位置を決定する方法について説明する。
【００３７】
図４は、本発明の実施形態によるＩＥＥＥ８０２．１６通信システムにおけるＭＳが、ＢＳで固定スケジューリング方式を使用して割り当てたＤＬ固定資源の位置を決定する過程を示すフローチャートである。
【００３８】
図４を参照すると、まず、ステップ４１１で、ＭＳは、ＤＬ ＭＡＰメッセージをＢＳから受信し、ＤＬ ＭＡＰメッセージに含まれている固定ＨＡＲＱ ＤＬ ＭＡＰ ＩＥを検出する。ステップ４１３で、ＭＳは、ＨＡＲＱ領域定義情報と、固定領域ＩＤと、スロットオフセットと、期間情報とを固定ＨＡＲＱ ＤＬ ＭＡＰ ＩＥから検出し、当該検出されたＨＡＲＱ領域定義情報、固定領域ＩＤ、スロットオフセット、及び期間情報を格納する。ステップ４１５で、ＭＳは、ＨＡＲＱ領域定義情報及びスロットオフセットを使用してＭＳに割り当てられたＨＡＲＱ領域の固定資源の位置を決定した後に、ステップ４１７に進む。ここで、ＭＳがこの固定資源の位置を決定する過程について具体的に説明すると、次の通りである。
【００３９】
まず、ＭＳは、ＨＡＲＱ領域定義情報に含まれているＯＦＤＭＡシンボルオフセットと、サブチャネルオフセットと、ＯＦＤＭＡシンボル個数と、サブチャネル個数とを使用してＨＡＲＱ領域を検出し、ＯＦＤＭＡシンボルオフセット及びサブチャネルオフセットを使用してＨＡＲＱ領域の開始領域を検出する。その後に、ＭＳは、この検出されたＨＡＲＱ領域の開始領域からスロットオフセットに対応する個数のスロットだけ離隔した位置を、ＭＳ自身に割り当てられた固定資源の位置として決定する。
【００４０】
ステップ４１７で、ＭＳは、ＤＬ ＭＡＰメッセージをＢＳから受信し、ＤＬ ＭＡＰメッセージに含まれている固定ＨＡＲＱ ＤＬ ＭＡＰ ＩＥを検出する。ステップ４１９で、ＭＳは、ＨＡＲＱ領域定義情報及び固定領域ＩＤを固定ＨＡＲＱ ＤＬ ＭＡＰ ＩＥから検出する。ステップ４２０で、ＭＳは、この検出された固定領域ＩＤが格納されている固定領域ＩＤと同一であるか否かを判定する。この判定の結果、検出された固定領域ＩＤが格納されている固定領域ＩＤと同一である場合に、ＭＳは、ステップ４２１に進む。他方、ステップ４２０で、検出された固定領域ＩＤが格納されている固定領域ＩＤと同一でないと判定された場合に、ＭＳは、ステップ４２２に進む。ここで、検出された固定領域ＩＤが格納されている固定領域ＩＤと同一でない場合に、検出された固定領域ＩＤは、格納されている固定領域ＩＤにより識別されたＨＡＲＱ領域とは異なるＨＡＲＱ領域に対する固定ＨＡＲＱ ＤＬ ＭＡＰ ＩＥを示す。したがって、ステップ４２２で、ＭＳは、対応する固定ＨＡＲＱ ＤＬ ＭＡＰ ＩＥに関連した動作を実行する。
【００４１】
ステップ４２１で、ＭＳは、検出されたＨＡＲＱ領域定義情報が格納されているＨＡＲＱ領域定義情報と同一であるか否かを判定する。この判定の結果、検出されたＨＡＲＱ領域定義情報が格納されているＨＡＲＱ領域定義情報と同一でない場合に、ＭＳは、ステップ４２３で、ＨＡＲＱ領域の位置が変更されたことを判定した後に、この位置変更されたＨＡＲＱ領域、すなわち、新規ＨＡＲＱ領域のＨＡＲＱ領域定義情報を格納する。
【００４２】
その後に、ステップ４２５で、ＭＳは、新規ＨＡＲＱ領域のＨＡＲＱ領域定義情報及びこの格納されているスロットオフセットを使用して位置が変更された後に、ＭＳに割り当てられた新規ＨＡＲＱ領域の固定資源の位置を決定する。ここで、ＭＳは、新規ＨＡＲＱ領域のＨＡＲＱ領域定義情報に含まれているＯＦＤＭＡシンボルオフセットと、サブチャネルオフセットと、ＯＦＤＭＡシンボル個数と、サブチャネル個数とを使用して新規ＨＡＲＱ領域を検出し、ＯＦＤＭＡシンボルオフセット及びサブチャネルオフセットを使用して新規ＨＡＲＱ領域の開始領域を検出する。ＭＳは、この検出された新規ＨＡＲＱ領域の開始領域からスロットオフセットに対応する個数のスロットだけ離隔した位置を、位置変更された後にＭＳに割り当てられた固定資源の位置として決定する。
【００４３】
他方、ステップ４２１で、検出されたＨＡＲＱ領域定義情報が格納されているＨＡＲＱ領域定義情報と同一であると判定された場合に、ＭＳは、ステップ４２７に進み、ＭＳに固定的に割り当てられている資源の位置をそのまま維持する。
【００４４】
次いで、図５を参照して、本発明の実施形態によるＩＥＥＥ８０２．１６通信システムでＨＡＲＱ領域の位置変更によりＭＳに固定的に割り当てられているＤＬ資源の位置が変更される場合について説明する。
【００４５】
図５は、本発明の実施形態によるＩＥＥＥ８０２．１６通信システムで、ＨＡＲＱ領域の位置変更により、ＭＳに固定的に割り当てられているＤＬ資源の位置が変更される場合を概略的に示す図である。
【００４６】
図５を参照すると、まず、フレーム＃（Ｋ＋Ｐ）で、ＨＡＲＱ領域５００内のＭＳ１、ＭＳ２、及びＭＳ３に、それぞれ、１０スロット、１０スロット、及び２０スロットの固定資源が割り当てられていると仮定する。また、ＨＡＲＱ領域５００が、ＯＦＤＭＡシンボルオフセット＝Ａ、サブチャネルオフセット＝Ｂ、ＯＦＤＭＡシンボル個数＝Ｃ、そして、サブチャネル個数＝ＤであるＨＡＲＱ領域定義情報により定義されると仮定する（（ＯＦＤＭＡシンボルオフセット、サブチャネルオフセット、ＯＦＤＭＡシンボル個数、サブチャネル個数）＝（Ａ，Ｂ，Ｃ，Ｄ））。さらに、ＭＳ１に割り当てられた固定資源５１１の開始領域がＨＡＲＱ領域５００の開始領域と同一であると仮定する。
【００４７】
したがって、ＭＳ１、ＭＳ２、及びＭＳ３の各々は、ＨＡＲＱ領域５００に関するＨＡＲＱ領域定義情報と、ＨＡＲＱ領域５００を識別するための固定領域ＩＤと、スロットオフセットと、期間情報と、を固定ＨＡＲＱ ＤＬ ＭＡＰ ＩＥを介してフレーム＃（Ｋ＋Ｐ）から検出し、この検出されたＨＡＲＱ領域定義情報と、固定領域ＩＤと、スロットオフセットと、期間情報と、を使用して、自身に割り当てられた固定資源を決定する。また、ＭＳ１、ＭＳ２、及びＭＳ３の各々は、ＭＳ１がスロットオフセット＝０及び期間＝１０を格納し、ＭＳ２がスロットオフセット＝１０及び期間＝１０を格納し、ＭＳ３がスロットオフセット＝２０及び期間＝２０を格納する方式で、この検出されたＨＡＲＱ領域定義情報、固定領域ＩＤ、スロットオフセット、及び期間情報を格納する。
【００４８】
この後に、フレーム＃（Ｋ＋２Ｐ）で、ＨＡＲＱ領域の位置が変更されると、ＭＳ１、ＭＳ２、及びＭＳ３に割り当てられている固定資源の位置も変更される。すなわち、ＭＳ１、ＭＳ２、及びＭＳ３の固定資源は、位置変更されたＨＡＲＱ領域５００、すなわち、新規ＨＡＲＱ領域５５０に位置変更された後に割り当てられる。ここで、新規ＨＡＲＱ領域５５０は、ＨＡＲＱ領域５００に比べて、サブチャネル軸に沿っては２倍増加され、ＯＦＤＭＡシンボル軸に沿っては１／２倍減少されると仮定する。また、新規ＨＡＲＱ領域５５０は、ＯＦＤＭＡシンボルオフセット＝Ａ’、サブチャネルオフセット＝Ｂ’、ＯＦＤＭＡシンボル個数＝Ｃ’、及びサブチャネル個数＝Ｄ’であるＨＡＲＱ領域定義情報により定義されると仮定する（（ＯＦＤＭＡシンボルオフセット、サブチャネルオフセット、ＯＦＤＭＡシンボル個数、サブチャネル個数）＝（Ａ’，Ｂ’，Ｃ’，Ｄ’））。
【００４９】
したがって、ＭＳ１、ＭＳ２、及びＭＳ３の各々は、新規ＨＡＲＱ領域５５０に関するＨＡＲＱ領域定義情報及び固定領域ＩＤを、固定ＨＡＲＱ ＤＬ ＭＡＰ ＩＥを介してフレーム＃（Ｋ＋２Ｐ）から検出し、この検出されたＨＡＲＱ領域定義情報と、格納されているスロットオフセット及び期間情報と、を使用して、自身に割り当てられた固定資源の位置を決定する。もちろん、格納されている固定領域ＩＤは、この検出された固定領域ＩＤと同一である。この場合に、フレーム＃（Ｋ＋Ｐ）で、ＭＳ１、ＭＳ２、及びＭＳ３に割り当てられていた固定資源５１１、５１３、及び５１５の位置は、フレーム＃（Ｋ＋２Ｐ）で変更される。すなわち、フレーム＃（Ｋ＋２Ｐ）で、固定資源５６１、５６３、及び５６５は、ＭＳ１、ＭＳ２、及びＭＳ３にそれぞれ割り当てられる。
【００５０】
次いで、図６を参照して、本発明の実施形態によるＩＥＥＥ８０２．１６通信システムにおけるＢＳが固定スケジューリング方式を使用してＵＬ資源を割り当てる方法について説明する。
【００５１】
図６は、本発明の実施形態によるＩＥＥＥ８０２．１６通信システムにおけるＢＳが固定スケジューリング方式を使用してＵＬ資源を割り当てる手続きを示すフローチャートである。
【００５２】
図６を参照すると、ステップ６１１で、ＢＳは、ＨＡＲＱ領域の固定資源を任意のＭＳに割り当てる。ステップ６１３で、ＢＳは、固定ＨＡＲＱ ＵＬ ＭＡＰ ＩＥを含むＵＬ ＭＡＰメッセージを生成し、この生成されたＵＬ ＭＡＰメッセージをＭＳに送信した後に、ステップ６１５に進む。ここで、固定ＨＡＲＱ ＵＬ ＭＡＰ ＩＥは、ＨＡＲＱ領域定義情報と、ＨＡＲＱ領域を識別するための固定領域ＩＤと、スロットオフセットと、期間情報と、を含む。
【００５３】
ＨＡＲＱ領域定義情報は、ＯＦＤＭＡシンボルオフセット及びサブチャネルオフセットを含む。ここで、このＨＡＲＱ領域は、このＯＦＤＭＡシンボルオフセット及びこのサブチャネルオフセットにより定義される。すなわち、ＤＬとは異なり、ＵＬでは、ＨＡＲＱ領域が２次元でない１次元で定義されるので、ＨＡＲＱ領域は、ＨＡＲＱ領域の開始領域から始まって１次元で定義される。ここで、この開始領域は、ＨＡＲＱ領域の最小番号を有するサブチャネルで最小番号を有するＯＦＤＭＡシンボルに対応する領域を示し、例えば、スロットであると仮定する。また、割り当てられた固定資源は、この開始領域からスロットオフセットに対応する個数のスロットだけ離隔した位置から、期間に関する情報に対応するスロットを含む。結局、このスロットオフセットは、この固定資源の位置情報である。
【００５４】
ステップ６１５で、ＢＳは、ＨＡＲＱ領域の位置が変更される必要があることを検出すると、ＨＡＲＱ領域の位置を変更した後に、ステップ６１７に進む。ここで、ＨＡＲＱ領域の位置が変更される必要があることを検出する動作については、本発明の要部ではないので、その具体的な説明を省略する。ステップ６１７で、ＢＳは、ＨＡＲＱ領域の固定資源をこの位置変更されたＨＡＲＱ領域、すなわち、新規ＨＡＲＱ領域の固定資源に変更し、この変更された固定資源をＭＳに割り当てた後に、ステップ６１９に進む。ここで、ＢＳがＨＡＲＱ領域の固定資源を新規ＨＡＲＱ領域の固定資源に変更し、この変更された固定資源をＭＳに割り当てる過程について具体的に説明すると、次のとおりである。
【００５５】
まず、新規ＨＡＲＱ領域の位置は、ＨＡＲＱ領域の位置とは異なり、新規ＨＡＲＱ領域を示すＨＡＲＱ領域定義情報もＨＡＲＱ領域のＨＡＲＱ領域定義情報とは異なる。したがって、ＢＳは、ＭＳに割り当てられたＨＡＲＱ領域の固定資源を、新規ＨＡＲＱ領域の開始領域からスロットオフセットに対応する個数のスロットだけ離隔した位置から、期間に関する情報に対応するスロットに位置変更し、その後、この固定資源を割り当てる。
【００５６】
一方、ステップ６１９で、ＢＳは、固定ＨＡＲＱ ＵＬ ＭＡＰ ＩＥを含むＵＬ ＭＡＰメッセージを生成し、この生成されたＵＬ ＭＡＰメッセージをＭＳに送信する。ここで、固定ＨＡＲＱ ＵＬ ＭＡＰ ＩＥは、新規ＨＡＲＱ領域のＨＡＲＱ領域定義情報及び固定領域ＩＤだけを含んでもよいし、スロットオフセット及び期間情報を含まなくてもよい。また、新規ＨＡＲＱ領域のＨＡＲＱ領域定義情報は、ＯＦＤＭＡシンボルオフセット及びサブチャネルオフセットを含んでもよい。もちろん、ステップ６１９で説明した固定ＨＡＲＱ ＵＬ ＭＡＰ ＩＥに含まれている固定領域ＩＤは、ステップ６１３で説明した固定ＨＡＲＱ ＵＬ ＭＡＰ ＩＥに含まれている固定領域ＩＤと同一である。
【００５７】
図６で説明した通り、ＢＳが資源をＭＳに固定的に割り当てる場合に、ＨＡＲＱ領域の位置が変更されるとしても、スロットオフセット及び期間情報を固定ＨＡＲＱ ＵＬ ＭＡＰ ＩＥに個別に含む必要がない。
【００５８】
次いで、図７を参照して、本発明の実施形態によるＩＥＥＥ８０２．１６通信システムにおけるＭＳが、ＢＳで固定スケジューリング方式を使用して割り当てたＵＬ資源の位置を決定する方法について説明する。
【００５９】
図７は、本発明の実施形態によるＩＥＥＥ８０２．１６通信システムにおけるＭＳが、ＢＳで固定スケジューリング方式を使用して割り当てたＵＬ固定資源の位置を決定する手続きを示すフローチャートである。
【００６０】
図７を参照すると、まず、ステップ７１１で、ＭＳは、ＵＬ ＭＡＰメッセージをＢＳから受信し、ＵＬ ＭＡＰメッセージに含まれている固定ＨＡＲＱ ＵＬ ＭＡＰ ＩＥを検出する。ステップ７１３で、ＭＳは、ＨＡＲＱ領域定義情報と、固定領域ＩＤと、スロットオフセットと、期間情報と、を固定ＨＡＲＱ ＵＬ ＭＡＰ ＩＥから検出し、この検出されたＨＡＲＱ領域定義情報と、固定領域ＩＤと、スロットオフセットと、期間情報と、を格納する。ステップ７１５で、ＭＳは、ＨＡＲＱ領域定義情報及びスロットオフセットを使用して、ＭＳに割り当てられた固定資源の位置を決定した後に、ステップ７１７に進む。ここで、ＭＳがこの固定資源の位置を決定する過程について具体的に説明すると、次の通りである。
【００６１】
まず、ＭＳは、ＨＡＲＱ領域定義情報に含まれているＯＦＤＭＡシンボルオフセット及びサブチャネルオフセットを使用して、ＨＡＲＱ領域の開始領域を検出する。その後に、ＭＳは、この検出されたＨＡＲＱ領域の開始領域からスロットオフセットに対応する個数のスロットだけ離隔した位置を、固定資源の位置として決定する。
【００６２】
ステップ７１７で、ＭＳは、ＵＬ ＭＡＰメッセージをＢＳから受信し、ＵＬ ＭＡＰメッセージに含まれている固定ＨＡＲＱ ＵＬ ＭＡＰ ＩＥを検出する。ステップ７１９で、ＭＳは、ＨＡＲＱ領域定義情報及び固定領域ＩＤを固定ＨＡＲＱ ＵＬ ＭＡＰ ＩＥから検出する。ステップ７２０で、ＭＳは、この検出された固定領域ＩＤが格納されている固定領域ＩＤと同一であるか否かを判定する。ここで、この検出された固定領域ＩＤが格納されている固定領域ＩＤと同一であると判定された場合に、ＭＳは、ステップ７２１に進む。他方、ステップ７２０で、この検出された固定領域ＩＤが格納されている固定領域ＩＤと同一でないと判定された場合に、ＭＳは、ステップ７２２に進む。ここで、この検出された固定領域ＩＤが格納されている固定領域ＩＤと同一でない場合に、この検出された固定領域ＩＤは、格納されている固定領域ＩＤにより識別されたＨＡＲＱ領域とは異なるＨＡＲＱ領域に対する固定ＨＡＲＱ ＵＬ ＭＡＰ ＩＥを示す。したがって、ステップ７２２で、ＭＳは、対応する固定ＨＡＲＱ ＵＬ ＭＡＰ ＩＥに関連した動作を実行する。
【００６３】
ステップ７２１で、ＭＳは、検出されたＨＡＲＱ領域定義情報が格納されているＨＡＲＱ領域定義情報と同一であるか否かを判定する。ここで、検出されたＨＡＲＱ領域定義情報が格納されているＨＡＲＱ領域定義情報と同一でないと判定された場合に、ＭＳは、ステップ７２３で、ＨＡＲＱ領域の位置が変更されたことを判定し、この位置変更されたＨＡＲＱ領域、すなわち、新規ＨＡＲＱ領域のＨＡＲＱ領域定義情報を格納する。
【００６４】
その後に、ステップ７２５で、ＭＳは、新規ＨＡＲＱ領域のＨＡＲＱ領域定義情報及び格納されているスロットオフセットを使用して、位置変更された後にＭＳに割り当てられた新規ＨＡＲＱ領域の固定資源の位置を決定する。ここで、ＭＳは、新規ＨＡＲＱ領域のＨＡＲＱ領域定義情報に含まれているＯＦＤＭＡシンボルオフセット及びサブチャネルオフセットを使用して、新規ＨＡＲＱ領域の開始領域を検出する。ＭＳは、この検出された新規ＨＡＲＱ領域の開始領域からスロットオフセットに対応する個数のスロットだけ離隔された位置を、位置変更された後にＭＳに割り当てられた固定資源の位置として決定する。
【００６５】
他方、ステップ７２１で、この受信されたＨＡＲＱ領域定義情報が格納されているＨＡＲＱ領域定義情報と同一であると判定された場合に、ＭＳは、ステップ７２７に進み、ＭＳに固定的に割り当てられている資源の位置をそのまま維持する。
【００６６】
次いで、図８を参照して、本発明の実施形態によるＩＥＥＥ８０２．１６通信システムで、ＨＡＲＱ領域の位置変更により、ＭＳに固定的に割り当てられているＵＬ資源の位置が変更される場合について説明する。
【００６７】
図８は、本発明の実施形態によるＩＥＥＥ８０２．１６通信システムで、ＨＡＲＱ領域の位置変更により、ＭＳに固定的に割り当てられているＵＬ資源の位置が変更される場合を概略的に示す図である。
【００６８】
図８を参照すると、まず、フレーム＃（Ｋ＋Ｐ）で、ＨＡＲＱ領域の開始領域８１０から１０スロット、１０スロット、及び２０スロットの固定資源が、ＭＳ１、ＭＳ２、及びＭＳ３の順にそれぞれ割り当てられていると仮定する。また、ここでは、ＨＡＲＱ領域がＯＦＤＭＡシンボルオフセット＝Ａ、サブチャネルオフセット＝ＢであるＨＡＲＱ領域定義情報により定義されると仮定する（（ＯＦＤＭＡシンボルオフセット、サブチャネルオフセット）＝（Ａ，Ｂ））。さらに、ＭＳ１に割り当てられた固定資源８２０の開始領域がＨＡＲＱ領域の開始領域８１０と同一であると仮定する。
【００６９】
したがって、ＭＳ１、ＭＳ２、及びＭＳ３の各々は、ＨＡＲＱ領域に関するＨＡＲＱ領域定義情報と、ＨＡＲＱ領域を識別するための固定領域ＩＤと、スロットオフセットと、期間情報と、を固定ＨＡＲＱ ＵＬ ＭＡＰ ＩＥを介してフレーム＃（Ｋ＋Ｐ）から検出し、この検出されたＨＡＲＱ領域定義情報と、固定領域ＩＤと、スロットオフセットと、期間情報とを使用して、自身に割り当てられた固定資源を決定する。また、ＭＳ１、ＭＳ２、及びＭＳ３の各々は、ＭＳ１がスロットオフセット＝０及び期間＝１０を格納し、ＭＳ２がスロットオフセット＝１０及び期間＝１０を格納し、ＭＳ３がスロットオフセット＝２０及び期間＝２０を格納する方式で、検出されたＨＡＲＱ領域定義情報、固定領域ＩＤ、スロットオフセット、及び期間情報を格納する。
【００７０】
この後に、フレーム＃（Ｋ＋２Ｐ）で、ＨＡＲＱ領域の位置が変更されると、ＭＳ１、ＭＳ２、及びＭＳ３に割り当てられている固定資源の位置も変更される。すなわち、位置変更された後に、ＭＳ１、ＭＳ２、及びＭＳ３の固定資源は、この位置変更されたＨＡＲＱ領域、すなわち、新規ＨＡＲＱ領域内に割り当てられる。ここで、新規ＨＡＲＱ領域は、ＯＦＤＭＡシンボルオフセット＝Ａ’及びサブチャネルオフセット＝Ｂ’であるＨＡＲＱ領域定義情報により定義されると仮定する（（ＯＦＤＭＡシンボルオフセット、サブチャネルオフセット）＝（Ａ’，Ｂ’））。
【００７１】
したがって、ＭＳ１、ＭＳ２、及びＭＳ３の各々は、新規ＨＡＲＱ領域に関するＨＡＲＱ領域定義情報及び固定領域ＩＤを、固定ＨＡＲＱ ＵＬ ＭＡＰ ＩＥを介してフレーム＃（Ｋ＋２Ｐ）から検出し、この検出されたＨＡＲＱ領域定義情報と格納されているスロットオフセット及び期間情報とを使用して、自身に割り当てられた固定資源を決定する。もちろん、格納されている固定領域ＩＤは、この検出された固定領域ＩＤと同一である。この場合に、フレーム＃（Ｋ＋Ｐ）で、ＭＳ１、ＭＳ２、及びＭＳ３に割り当てられていた固定資源８２０、８３０、及び８４０の位置は、フレーム＃（Ｋ＋２Ｐ）で変更される。すなわち、フレーム＃（Ｋ＋２Ｐ）で、固定資源８６０、８７０、及び８８０は、新規ＨＡＲＱ領域の開始領域８５０から始まってＭＳ１、ＭＳ２、及びＭＳ３にそれぞれ割り当てられる。
【００７２】
次いで、図９を参照して、本発明の実施形態によるＩＥＥＥ８０２．１６通信システムにおけるＢＳ装置の内部構成について説明する。
【００７３】
図９は、本発明の実施形態によるＩＥＥＥ８０２．１６通信システムにおけるＢＳ装置の内部構成を示す図である。
【００７４】
図９を参照すると、ＢＳ装置９００は、制御器９１０及び送信器９２０を含む。制御器９１０は、固定スケジューリング方式を使用してＤＬ資源及びＵＬ資源を割り当て、この割り当てられたＤＬ資源及びＵＬ資源に関する資源割当メッセージを生成する。特に、制御器９１０は、ＨＡＲＱ領域の位置変更を考慮してＤＬ資源及びＵＬ資源を割り当て、この割り当てられたＤＬ資源及びＵＬ資源に関する資源割当メッセージを生成する。制御器９１０がＤＬ資源及びＵＬ資源を割り当てる動作については、図３及び図６を参照して説明した。
【００７５】
制御器９１０で生成された資源割当メッセージは、送信器９２０に伝達され、送信器９２０は、制御器９１０で生成した資源割当メッセージをＭＳに送信する。ここで、この‘資源割当メッセージ’は、例えば、固定ＨＡＲＱ ＤＬ ＭＡＰ ＩＥを含むＤＬ ＭＡＰメッセージ又は固定ＨＡＲＱ ＵＬ ＭＡＰ ＩＥを含むＵＬ ＭＡＰメッセージを意味する。固定ＨＡＲＱ ＤＬ ＭＡＰ ＩＥ及び固定ＨＡＲＱ ＵＬ ＭＡＰ ＩＥについては、上記で詳細に説明した。
【００７６】
次いで、図１０を参照して、本発明の実施形態によるＩＥＥＥ８０２．１６通信システムにおけるＭＳ装置の内部構成について説明する。
【００７７】
図１０は、本発明の実施形態によるＩＥＥＥ８０２．１６通信システムにおけるＭＳ装置の内部構成を示す図である。
【００７８】
図１０を参照すると、ＭＳ装置１０００は、制御器１０１０及び受信器１０２０を含む。
【００７９】
制御器１０１０は、ＢＳが固定スケジューリング方式を使用して割り当てたＤＬ資源及びＵＬ資源の位置を決定し、この位置決定されたＤＬ固定資源及びＵＬ固定資源を使用する。制御器１０１０がＢＳで固定スケジューリング方式を使用して割り当てたＤＬ資源及びＵＬ資源の位置を決定する動作については、図４及び図７を参照して説明した。
【００８０】
受信器１０２０は、ＢＳから資源割当メッセージを受信する。ここで、この‘資源割当メッセージ’は、例えば、固定ＨＡＲＱ ＤＬ ＭＡＰ ＩＥを含むＤＬ ＭＡＰメッセージ又は固定ＨＡＲＱ ＵＬ ＭＡＰ ＩＥを含むＵＬ ＭＡＰメッセージを示す。固定ＨＡＲＱ ＤＬ ＭＡＰ ＩＥ及び固定ＨＡＲＱ ＵＬ ＭＡＰ ＩＥについては、上記で詳細に説明した。すなわち、制御器１０１０は、受信器１０２０が受信した資源割当メッセージに基づいて、ＢＳで固定スケジューリング方式を使用して割り当てたＤＬ資源及びＵＬ資源の位置を決定する。また、制御器１０１０は、固定領域ＩＤ、ＨＡＲＱ領域のＨＡＲＱ領域定義情報、及び新規ＨＡＲＱ領域のＨＡＲＱ領域定義情報などのような各種情報をその内部メモリに格納することができる。あるいは、制御器１０１０は、内部メモリでない個別のメモリを備えて、固定領域ＩＤ、ＨＡＲＱ領域のＨＡＲＱ領域定義情報、及び新規ＨＡＲＱ領域のＨＡＲＱ領域定義情報などのような各種情報を格納することができる。
【００８１】
上述した説明から明らかなように、本発明の実施形態によれば、通信システムは、固定スケジューリング方式を使用して資源を割り当てる際に、ＨＡＲＱ領域の位置変更を考慮して資源を割り当てることができ、これにより、通信システムの資源割当柔軟性を増加させることができ、その結果、システム性能を向上させることができるという長所を有する。
【００８２】
以上、本発明を具体的な実施形態を参照して詳細に説明してきたが、添付された特許請求の範囲及びこれと均等なものにより定義されるような本発明の範囲及び精神を逸脱することなく、形式や細部の様々な変更が可能であるということは、当該技術分野における通常の知識を持つ者には明らかである。
【図面の簡単な説明】
【００８３】
【図１】従来のＩＥＥＥ８０２．１６通信システムで固定スケジューリング方式を使用してＤＬ資源を割り当てる方法を概略的に示す図である。
【図２】従来のＩＥＥＥ８０２．１６通信システムで固定スケジューリング方式を使用してＵＬ資源を割り当てる方法を概略的に示す図である。
【図３】本発明の実施形態によるＩＥＥＥ８０２．１６通信システムにおけるＢＳが固定スケジューリング方式を使用してＤＬ資源を割り当てる手続きを示すフローチャートである。
【図４】本発明の実施形態によるＩＥＥＥ８０２．１６通信システムにおけるＭＳが、ＢＳで固定スケジューリング方式を使用して割り当てたＤＬ固定資源の位置を決定する手続きを示すフローチャートである。
【図５】本発明の実施形態によるＩＥＥＥ８０２．１６通信システムで、ＨＡＲＱ領域の位置変更により、ＭＳに固定的に割り当てられているＤＬ資源の位置が変更される場合を概略的に示す図である。
【図６】本発明の実施形態によるＩＥＥＥ８０２．１６通信システムにおけるＢＳが固定スケジューリング方式を使用してＵＬ資源を割り当てる手続きを示すフローチャートである。
【図７】本発明の実施形態によるＩＥＥＥ８０２．１６通信システムにおけるＭＳが、ＢＳで固定スケジューリング方式を使用して割り当てたＵＬ固定資源の位置を決定する手続きを示すフローチャートである。
【図８】本発明の実施形態によるＩＥＥＥ８０２．１６通信システムで、ＨＡＲＱ領域の位置変更により、ＭＳに固定的に割り当てられているＵＬ資源の位置が変更される場合を概略的に示す図である。
【図９】本発明の実施形態によるＩＥＥＥ８０２．１６通信システムにおけるＢＳ装置の内部構成を示す図である。
【図１０】本発明の実施形態によるＩＥＥＥ８０２．１６通信システムにおけるＭＳ装置の内部構成を示す図である。
【図１】
2010063074.tif 000002
【図２】
2010063074.tif 000003
【図３】
2010063074.tif 000004
【図４】
2010063074.tif 000005
【図５】
2010063074.tif 000006
【図６】
2010063074.tif 000007
【図７】
2010063074.tif 000008
【図８】
2010063074.tif 000009
【図９】
2010063074.tif 000010
【図１０】
2010063074.tif 000011
【外国語明細書】
METHOD AND APPARATUS FOR ALLOCATING RESOURCES IN A WIRELESS COMMUNIC                ATION SYSTEM AND SYSTEM THEREOF
BACKGROUND OF THE INVENTION
1. Field of the Invention:
The present invention relates to a method and apparatus for allocating resources in a wireless communication system and a system thereof. More particularly, the present invention relates to a method and apparatus for allocating resources in a wireless communication system using a persistent scheduling scheme and a system thereof.
2. Description of the Related Art:
Next-generation communication systems are being developed to provide various high-speed, high-capacity services to Mobile Stations (MSs). Conventional next-generation communication systems include an Institute of Electrical and Electronics Engineers (IEEE) 802.16 communication system and a Mobile Worldwide Interoperability for Microwave Access (WiMAX) communication system. The Mobile WiMAX communication system is a communication system based on the IEEE 802.16 communication system.
With reference to FIG. 1, a description will now be made of a method for allocating DownLink (DL) resources using a persistent scheduling scheme in a conventional IEEE 802.16 communication system.
FIG. 1 is a diagram schematically illustrating a method for allocating DL resources using a persistent scheduling scheme in a conventional IEEE 802.16 communication system.
Referring to FIG. 1, a Base Station (BS) allocates persistent resources 120 of a Hybrid Automatic Repeat Request (HARQ) region 100 to an arbitrary MS, e.g., MS1, using a persistent scheduling scheme. After allocating the persistent resources 120 to the MS1, the BS transmits resource allocation information for the persistent resources 120 to the MS1 using a DL MAP message including a Persistent HARQ DL MAP Information Element (IE).
The Persistent HARQ DL MAP IE includes HARQ region definition information of the HARQ region 100, a Persistent Region Identifier (ID) for identifying the HARQ region 100, a slot offset, and duration information. The HARQ region definition information includes an Orthogonal Frequency Division Multiple Access (OFDMA) symbol offset, a subchannel offset, the number of OFDMA symbols, and the number of subchannels.
The HARQ region 100 is defined by the OFDMA symbol offset, the subchannel offset, the number of OFDMA symbols, and the number of subchannels. That is, the HARQ region 100 represents a two-dimensional region occupied by OFDMA symbols corresponding to the number of OFDMA symbols and subchannels corresponding to the number of subchannels on the basis of a start region 110. The start region 110 represents a region corresponding to the lowest-numbered OFDMA symbol in the lowest-numbered subchannel of the HARQ region 100, and it will be assumed to be, for example, a slot. In addition, the persistent resources 120 include the slots that correspond to information on the duration from the location that is spaced apart from the start region 110 by slots, the number of which corresponds to the slot offset.
With reference to FIG. 2, a description will now be made of a method for allocating UpLink (UL) resources using the persistent scheduling scheme in a conventional IEEE 802.16 communication system.
FIG. 2 is a diagram schematically illustrating a method for allocating UL resources using a persistent scheduling scheme in a conventional IEEE 802.16 communication system.
Referring to FIG. 2, a BS allocates persistent resources 220 to an arbitrary MS, e.g., MS1, using the persistent scheduling scheme in a start region 210 of a HARQ region. After allocating the persistent resources 220 to the MS1, the BS transmits resource allocation information for the persistent resources 220 to the MS1 using a UL MAP message including a Persistent HARQ UL MAP IE.
The Persistent HARQ UL MAP IE includes HARQ region definition information, a Persistent Region ID for identifying the HARQ region, a slot offset, and duration information. The HARQ region definition information includes an OFDMA symbol offset and a subchannel offset. The HARQ region is defined by the OFDMA symbol offset and the subchannel offset. That is, in the UL, unlike in the DL, since the HARQ region is defined not in two dimensions, but in one dimension, the HARQ region is defined in one dimension beginning from the start region 210. The start region 210 represents a slot corresponding to the lowest-numbered OFDMA symbol in the lowest-numbered subchannel of the HARQ region. In addition, the persistent resources 220 include the slots that correspond to information on the duration from the location that is spaced apart from the start region 210 by slots, the number of which corresponds to the slot offset.
Resources allocated to an MS using the persistent scheduling scheme are persistently maintained without being changed every periodic frame, e.g., every P frames, unless the BS releases the resource allocation for the MS or changes the resources allocated to the MS. However, the IEEE 802.16e communication system can variably manage the location of the HARQ region every frame. When the location of the HARQ region is changed in this way, it may be difficult to persistently allocate resources using the persistent scheduling scheme.
SUMMARY OF THE INVENTION
An aspect of the present invention is to address at least the above-mentioned problems and/or disadvantages and to provide at least the advantages described below. Accordingly, an aspect of the present invention is to provide a method and apparatus for allocating resources in a wireless communication system, and a system thereof.
Another aspect of the present invention is to provide a method and apparatus for allocating resources taking into account a location change of a HARQ region in a wireless communication system, and a system thereof.
According to one aspect of the present invention, a method for allocating resources by a Base Station (BS) in a wireless communication system is provided. The method includes allocating persistent resources in a Hybrid Automatic Repeat Request (HARQ) region to a Mobile Station (MS), changing a location of the HARQ region, and location-changing the persistent resources in the HARQ region to persistent resources in a new HARQ region, and allocating the persistent resources in the new HARQ region to the MS. The new HARQ region comprises the location-changed HARQ region.
According to another aspect of the present invention, a method for allocating resources by a Base Station (BS) in a wireless communication system is provided. The method includes transmitting to a Mobile Station (MS) a first resource allocation message including Hybrid Automatic Repeat Request (HARQ) region definition information of a HARQ region, a Persistent Region Identifier (ID), and location information of persistent resources in the HARQ region to allocate the persistent resources in the HARQ region to the MS, when a location of the HARQ region is changed, setting a Persistent Region ID of a new HARQ region, which is the location-changed HARQ region, to be identical to a Persistent Region ID of the HARQ region, and transmitting to the MS a second resource allocation message including HARQ region definition information of the new HARQ region and the Persistent Region ID of the new HARQ region.
According to further another aspect of the present invention, a method for allocating resources by a Mobile Station (MS) in a wireless communication system is provided. The method includes receiving a first resource allocation message used for allocating persistent resources in a Hybrid Automatic Repeat Request (HARQ) region, determining a location of persistent resources  in the HARQ region according to the first resource allocation message, receiving a second resource allocation message used for location-changing the persistent resources in the HARQ region to persistent resources in a new HARQ region according to a location change of the HARQ region and allocating the persistent resources in the new HARQ region, and determining a location of the persistent resources in the new HARQ region according to location information of the persistent resources in the HARQ region and the second resource allocation message. The new HARQ region comprises the location-changed HARQ region.
According to yet another aspect of the present invention, a method for allocating resources by a Mobile Station (MS) in a wireless communication system is provided. The method includes receiving a first resource allocation message including Hybrid Automatic Repeat Request (HARQ) region definition information of a HARQ region, a Persistent Region Identifier (ID), and location information of persistent resources in the HARQ region to allocate the persistent resources in the HARQ region, storing the HARQ region definition information and the Persistent Region ID, determining a location of persistent resources  in the HARQ region according to the first resource allocation message, and upon receipt of a second resource allocation message including a Persistent Region ID identical to the stored Persistent Region ID, determining a location of persistent resources in a new HARQ region according to the location information of the persistent resources in the HARQ region and the second resource allocation message. The new HARQ region comprises the HARQ region location-changed according to a location change of the HARQ region, and the second resource allocation message includes HARQ region definition information of the new HARQ region and the Persistent Region ID.
According to still another aspect of the present invention, a method for allocating resources in a wireless communication system is provided. The method includes allocating, by a Base Station (BS), persistent resources in a Hybrid Automatic Repeat Request (HARQ) region to a Mobile Station (MS), and transmitting to the MS a first resource allocation message used for allocating the persistent resources in the HARQ region, receiving, by the MS, the first resource allocation message, determining, by the MS, a location of persistent resources  in the HARQ region according to the first resource allocation message, changing, by the BS, a location of the HARQ region, location-changing, by the BS, the persistent resources in the HARQ region to persistent resources in a new HARQ region, allocating the persistent resources in the new HARQ region to the MS, and transmitting to the MS a second resource allocation message used for location-changing the persistent resources in the HARQ region to the persistent resources in the new HARQ region and allocating the persistent resources to the MS receiving, by the MS, the second resource allocation message, and determining, by the MS, a location of the persistent resources in the new HARQ region according to location information of the persistent resources in the HARQ region and the second resource allocation message. The new HARQ region comprises the location-changed HARQ region.
According to still another aspect of the present invention, a method for allocating resources in a wireless communication system is provided. The method includes transmitting, by a Base Station (BS), to a Mobile Station (MS) a first resource allocation message including Hybrid Automatic Repeat Request (HARQ) region definition information of a HARQ region, a Persistent Region Identifier (ID), and location information of persistent resources in the HARQ region to allocate the persistent resources in the HARQ region to the MS, receiving, by the MS, the first resource allocation message, storing, by the MS, the HARQ region definition information and the Persistent Region ID, determining, by the MS, a location of persistent resources in the HARQ region according to the first resource allocation message, when a location of the HARQ region is changed, setting, by the BS, a Persistent Region ID of a new HARQ region, which comprises the location-changed HARQ region, to be identical to a Persistent Region ID of the HARQ region, transmitting, by the BS, to the MS a second resource allocation message including HARQ region definition information of the new HARQ region and the Persistent Region ID of the new HARQ region, and upon receipt of the second resource allocation message including a Persistent Region ID identical to the stored Persistent Region ID, determining, by the MS, a location of persistent resources in the new HARQ region according to the location information of the persistent resources in the HARQ region and the second resource allocation message.
According to still another aspect of the present invention, a Base Station (BS) apparatus in a wireless communication system is provided. The BS apparatus includes a controller for allocating persistent resources in a Hybrid Automatic Repeat Request (HARQ) region to a Mobile Station (MS), for changing a location of the HARQ region, for location-changing the persistent resources in the HARQ region to persistent resources in a new HARQ region, and for allocating the persistent resources in the new HARQ region to the MS. The new HARQ region comprises the location-changed HARQ region.
According to still another aspect of the present invention, a Base Station (BS) apparatus in a wireless communication system is provided. The BS apparatus includes a transmitter for transmitting to a Mobile Station (MS) a first resource allocation message including Hybrid Automatic Repeat Request (HARQ) region definition information of a HARQ region, a Persistent Region Identifier (ID), and location information of persistent resources in the HARQ region to allocate the persistent resources in the HARQ region to the MS, and for transmitting to the MS a second resource allocation message including HARQ region definition information and a Persistent Region ID of a new HARQ region, and a controller, when a location of the HARQ region is changed, for setting a Persistent Region ID of the new HARQ region, which comprises the location-changed HARQ region, to be identical to a Persistent Region ID of the HARQ region.
According to still another aspect of the present invention, a Mobile Station (MS) apparatus in a wireless communication system is provided. The MS apparatus includes a receiver for receiving a first resource allocation message used for allocating persistent resources in a Hybrid Automatic Repeat Request (HARQ) region, for receiving a second resource allocation message used for location-changing persistent resources in the HARQ region to persistent resources in a new HARQ region according to a location change of the HARQ region, and for allocating the persistent resources in the new HARQ region, and a controller for determining a location of persistent resources in the HARQ region according to the first resource allocation message, and for determining a location of the persistent resources in the new HARQ region according to location information of the persistent resources in the HARQ region and the second resource allocation message. The new HARQ region comprise the location-changed HARQ region.
According to still another aspect of the present invention, a Mobile Station (MS) apparatus in a wireless communication system is provided. The apparatus includes a receiver for receiving a first resource allocation message including Hybrid Automatic Repeat Request (HARQ) region definition information of a HARQ region, a Persistent Region Identifier (ID), and location information of persistent resources in the HARQ region to allocate the persistent resources in the HARQ region, and for receiving a second resource allocation message including a Persistent Region ID, and a controller for storing the HARQ region definition information and the Persistent Region ID, for determining a location of persistent resources in the HARQ region according to the first resource allocation message, and for determining a location of persistent resources in a new HARQ region according to location information of the persistent resources in the HARQ region and the second resource allocation message if the Persistent Region ID included in the second resource allocation message is identical to the stored Persistent Region ID. The new HARQ region comprises the HARQ region location-changed according to a location change of the HARQ region, and the second resource allocation message includes HARQ region definition information of the new HARQ region and the Persistent Region ID.
According to still another aspect of the present invention, a wireless communication system is provided. The system includes a Base Station (BS) for allocating persistent resources in a Hybrid Automatic Repeat Request (HARQ) region to a Mobile Station (MS), for transmitting to the MS a first resource allocation message used for allocating the persistent resources in the HARQ region, for changing a location of the HARQ region, for location-changing the persistent resources in the HARQ region to persistent resources in a new HARQ region, for allocating the persistent resources in the new HARQ region to the MS, and for transmitting to the MS a second resource allocation message used for location-changing the persistent resources in the HARQ region to the persistent resources in the new HARQ region and for allocating the persistent resources in the new HARQ region to the MS, and the MS for receiving the first resource allocation message, for determining a location of persistent resources in the HARQ region according to the first resource allocation message, for receiving the second resource allocation message, and for determining a location of the persistent resources in the new HARQ region according to location information of the persistent resources in the HARQ region and the second resource allocation message. The new HARQ region comprises the location-changed HARQ region.
According to still another aspect of the present invention, a wireless communication system is provided. The system includes a Base Station (BS) for transmitting to a Mobile Station (MS) a first resource allocation message including Hybrid Automatic Repeat Request (HARQ) region definition information of a HARQ region, a Persistent Region Identifier (ID), and location information of persistent resources in the HARQ region to allocate the persistent resources in the HARQ region to the MS, for setting, when a location of the HARQ region is changed, a Persistent Region ID of a new HARQ region, which comprises the location-changed HARQ region, to be identical to the Persistent Region ID of the HARQ region, and for transmitting to the MS a second resource allocation message including HARQ region definition information of the new HARQ region and the Persistent Region ID of the new HARQ region, and the MS for receiving the first resource allocation message, for storing the HARQ region definition information and the Persistent Region ID, for determining a location of persistent resources in the HARQ region according to the first resource allocation message, and upon receipt of the second resource allocation message including a Persistent Region ID identical to the stored Persistent Region ID, for determining a location of the persistent resources in the new HARQ region according to the location information of the persistent resources in the HARQ region and the second resource allocation message.
Other aspects, advantages, and salient features of the invention will become apparent to those skilled in the art from the following detailed description, which, taken in conjunction with the annexed drawings, discloses exemplary embodiments of the invention.
BRIEF DESCRIPTION OF THE DRAWINGS
The above and other aspects, features and advantages of certain exemplary embodiments of the present invention will be more apparent from the following description when taken in conjunction with the accompanying drawings, in which:
FIG. 1 is a diagram schematically illustrating a method for allocating DL resources using a persistent scheduling scheme in a conventional IEEE 802.16 communication system;
FIG. 2 is a diagram schematically illustrating a method for allocating UL resources using a persistent scheduling scheme in a conventional IEEE 802.16 communication system;
FIG. 3 is a flowchart illustrating a procedure for allocating DL resources using a persistent scheduling scheme by a BS in an IEEE 802.16 communication system according to an exemplary embodiment of the present invention;
FIG. 4 is a flowchart illustrating a procedure in which an MS determines a location of DL persistent resources that a BS allocated using a persistent scheduling scheme in an IEEE 802.16 communication system according to an exemplary embodiment of the present invention;
FIG. 5 is a diagram schematically illustrating a case where locations of DL resources persistently allocated to MSs are changed due to a location change of a HARQ region in an IEEE 802.16 communication system according to an exemplary embodiment of the present invention;
FIG. 6 is a flowchart illustrating a procedure for allocating UL resources using a persistent scheduling scheme by a BS in an IEEE 802.16 communication system according to an exemplary embodiment of the present invention;
FIG. 7 is a flowchart illustrating a procedure in which an MS determines a location of UL persistent resources that a BS allocated using a persistent scheduling scheme in an IEEE 802.16 communication system according to an exemplary embodiment of the present invention;
FIG. 8 is a diagram schematically illustrating a case where locations of UL resources persistently allocated to MSs are changed due to a location change of a HARQ region in an IEEE 802.16 communication system according to an exemplary embodiment of the present invention;
FIG. 9 is a diagram illustrating an internal structure of a BS apparatus in an IEEE 802.16 communication system according to an exemplary embodiment of the present invention; and
FIG. 10 is a diagram illustrating an internal structure of an MS apparatus in an IEEE 802.16 communication system according to an exemplary embodiment of the present invention.
Throughout the drawings, like reference numerals will be understood to refer to like parts, components and structures.
DETAILED DESCRIPTION OF EXEMPLARY EMBODIMENTS
The following description with reference to the accompanying drawings is provided to assist in a comprehensive understanding of exemplary embodiments of the present invention as defined by the claims and their equivalents. It includes various specific details to assist in that understanding but these are to be regarded as merely exemplary. Accordingly, those of ordinary skill in the art will recognize that various changes and modifications of the embodiments described herein can be made without departing from the scope and spirit of the invention. In addition, descriptions of well-known functions and constructions are omitted for clarity and conciseness.
Exemplary embodiments of the present invention provide a method and apparatus for allocating resources in a wireless communication system, and a system thereof. In addition, exemplary embodiments of the present invention provide a resource allocation method and apparatus for persistently allocating resources while taking into account a location change of a Hybrid Automatic Repeat Request (HARQ) region in a wireless communication system using a persistent scheduling scheme, and a system thereof. Although a description of exemplary embodiments of the present invention will be given herein with reference to an Institute of Electrical and Electronics Engineers (IEEE) 802.16 communication system as an example of a wireless communication system, the resource allocation method and apparatus and a system thereof proposed by the present invention can be used not only in the IEEE 802.16 communication system but also in another wireless communication system, such as Mobile Worldwide Interoperability for Microwave Access (WiMAX) communication system. In addition, the term 'persistent resources of a HARQ region' as used herein refers to persistent resources allocated in a HARQ region, and the term 'persistent resources of a new HARQ region' as used herein refers to persistent resources allocated in a new HARQ region.
FIG. 3 is a flowchart illustrating a procedure for allocating DownLink (DL) resources using a persistent scheduling scheme by a Base Station (BS) in an IEEE 802.16 communication system according to an exemplary embodiment of the present invention.
Referring to FIG. 3, in step 311, the BS allocates persistent resources of a HARQ region to an arbitrary Mobile Station (MS). In step 313, the BS generates a DL MAP message including a Persistent HARQ DL MAP Information Element (IE), transmits the generated DL MAP message to the MS, and then proceeds to step 315. The Persistent HARQ DL MAP IE includes HARQ region definition information of the HARQ region, a Persistent Region Identifier (ID) for identifying the HARQ region, a slot offset, and duration information. The HARQ region definition information includes an Orthogonal Frequency Division Multiple Access (OFDMA) symbol offset, a subchannel offset, the number of OFDMA symbols, and the number of subchannels. The HARQ region is defined herein by the OFDMA symbol offset, the subchannel offset, the number of OFDMA symbols, and the number of subchannels. That is, the HARQ region represents a two-dimensional region occupied by OFDMA symbols corresponding to the number of OFDMA symbols and subchannels corresponding to the number of subchannels on the basis of a start region. The start region represents a region corresponding to the lowest-numbered OFDMA symbol in the lowest-numbered subchannel of the HARQ region, and it will be assumed to be, for example, a slot. In addition, the allocated persistent resources include the slots that correspond to information on the duration from the location which is spaced apart from the start region by slots, the number of which corresponds to the slot offset. In conclusion, the slot offset is location information of the persistent resources.
In step 315, upon detecting the need to change a location of the HARQ region, the BS changes a location of the HARQ region, and then proceeds to step 317. The need to change a location of the HARQ region can be detected in the following cases. First, the need occurs when a location of the HARQ region is changed as a size of a MAP region increases. That is, in this case, the MAP region may collide with the HARQ region when a particular frame, e.g., frame #(K+2P) is greater than the previous frame, e.g., frame #(K+P), in the amount of resources to be allocated, or the number of Medium Access Control (MAC) management messages to be transmitted, so the MAP region size of the frame #(K+2P) is greater than the MAP region size of the frame #(K+P). Second, the need occurs when a ratio of a DL subframe to an UpLink (UL) subframe of the IEEE 802.16e communication system is changed. That is, in this case, a location of the HARQ region is changed as the locations of the DL subframe and the UL subframe are changed. Third, the need occurs when a non-HRAQ region is changed in the frame. That is, in this case, a location of the HARQ region is changed as the non-HRAQ region is changed. Meanwhile, the BS can detect the need to change a location of the HARQ region through a scheduling operation and the like.
In step 317, the BS changes the persistent resources of the HARQ region to persistent resources of the location-changed HARQ region, i.e., new HARQ region, allocates the changed persistent resources to the MS, and then proceeds to step 319. A detailed description will now be made of a process in which the BS location-changes the persistent resources of the HARQ region to persistent resources of the new HARQ region, and allocates the changed persistent resources to the MS.
A location of the new HARQ region is different from a location of the HARQ region, and HARQ region definition information representing the new HARQ region is also different from HARQ region definition information of the HARQ region. Therefore, the BS location-changes the persistent resources of the HARQ region allocated to the MS, to the slots that correspond to information on the duration from the location which is spaced apart from a start region of the new HARQ region by slots, the number of which corresponds to the slot offset, and then allocates the persistent resources.
In step 319, the BS generates a DL MAP message including a Persistent HARQ DL MAP IE, and transmits the generated DL MAP message to the MS. The Persistent HARQ DL MAP IE may include only the HARQ region definition information and the Persistent Region ID of the new HARQ region, and may not include the slot offset and the duration information. Also, the HARQ region definition information of the new HARQ region includes an OFDMA symbol offset, a subchannel offset, the number of OFDMA symbols, and the number of subchannels. Of course, the Persistent Region ID included in the Persistent HARQ DL MAP IE described in step 319 is equal to the Persistent Region ID included in the Persistent HARQ DL MAP IE described in step 313. In the case where the BS persistently allocates resources to the MS as described in FIG. 3, even though a location of the HARQ region is changed, there is no need to separately include the slot offset and the duration information in the Persistent HARQ DL MAP IE.
With reference to FIG. 4, a description will now be made of a method in which an MS determines a location of DL persistent resources that a BS allocated using a persistent scheduling scheme in an IEEE 802.16 communication system according to an exemplary embodiment of the present invention.
FIG. 4 is a flowchart illustrating a procedure in which an MS determines a location of DL persistent resources that a BS allocated using a persistent scheduling scheme in an IEEE 802.16 communication system according to an exemplary embodiment of the present invention.
Referring to FIG. 4, in step 411, the MS receives a DL MAP message from a BS, and detects a Persistent HARQ DL MAP IE included in the DL MAP message. In step 413, the MS detects, from the Persistent HARQ DL MAP IE, HARQ region definition information, a Persistent Region ID, a slot offset and duration information, and stores the detected HARQ region definition information, Persistent Region ID, slot offset and duration information. In step 415, the MS determines a location of persistent resources in the HARQ region allocated to the MS using the HARQ region definition information and the slot offset, and then proceeds to step 417. A detailed description will now be made of a process in which the MS determines a location of the persistent resources.
The MS detects the HARQ region using the OFDMA symbol offset, the subchannel offset, the number of OFDMA symbols and the number of subchannels, included in the HARQ region definition information, and detects a start region of the HARQ region using the OFDMA symbol offset and the subchannel offset. Thereafter, the MS determines, as a location of persistent resources allocated to the MS itself, a location which is spaced apart from the detected start region of the HARQ region by slots, a number of which corresponds to the slot offset.
In step 417, the MS receives a DL MAP message from the BS, and detects a Persistent HARQ DL MAP IE included in the DL MAP message. In step 419, the MS detects HARQ region definition information and a Persistent Region ID from the Persistent HARQ DL MAP IE. In step 420, the MS determines if the detected Persistent Region ID is identical to the stored Persistent Region ID. If it is determined that the detected Persistent Region ID is identical to the stored Persistent Region ID, the MS proceeds to step 421. However, if it is determined in step 420 that the detected Persistent Region ID is not identical to the stored Persistent Region ID, the MS proceeds to step 422. When the detected Persistent Region ID is not identical to the stored Persistent Region ID, the detected Persistent Region ID indicates a Persistent HARQ DL MAP IE for a HARQ region different from the HARQ region identified by the stored Persistent Region ID. Therefore, in step 422, the MS performs an operation associated with the corresponding Persistent HARQ DL MAP IE.
In step 421, the MS determines if the detected HARQ region definition information is identical to the stored HARQ region definition information. If it is determined that the detected HARQ region definition information is not identical to the stored HARQ region definition information, the MS, determining that a location of the HARQ region has been changed, stores HARQ region definition information of the location-changed HARQ region, or new HARQ region, in step 423.
Thereafter, in step 425, the MS determines a location of persistent resources of the new HARQ region, which are allocated to the MS after undergoing a location change, using HARQ region definition information of the new HARQ region and the stored slot offset. The MS detects the new HARQ region using an OFDMA symbol offset, a subchannel offset, the number of OFDMA symbols and the number of subchannels, included in the HARQ region definition information of the new HARQ region, and detects a start region of the new HARQ region using the OFDMA symbol offset and the subchannel offset. The MS determines, as a location of persistent resources allocated to the MS after undergoing a location change, the location that is spaced apart from the detected start region of the new HARQ region by slots, the number of which corresponds to the slot offset.
However, if it is determined in step 421 that the detected HARQ region definition information is identical to the stored HARQ region definition information, the MS proceeds to step 427 where it maintains the location of the resources persistently allocated to the MS.
With reference to FIG. 5, a description will now be made of a case where locations of DL resources persistently allocated to MSs are changed due to a location change of a HARQ region in an IEEE 802.16 communication system according to an exemplary embodiment of the present invention.
FIG. 5 is a diagram schematically illustrating a case where locations of DL resources persistently allocated to MSs are changed due to a location change of a HARQ region in an IEEE 802.16 communication system according to an exemplary embodiment of the present invention.
Referring to FIG. 5, it will be assumed that in a frame #(K+P), persistent resources of 10 slots, 10 slots and 20 slots are allocated in a HARQ region 500 to MS1, MS2 and MS3, respectively. In addition, it will be assumed herein that the HARQ region 500 is defined by HARQ region definition information where OFDMA symbol offset = A, subchannel offset = B, the number of OFDMA symbols = C, and the number of subchannels = D (OFDMA SYMBOL OFFSET, SUBCHANNEL OFFSET, NUMBER OF OFDMA SYMBOL, NUMBER OF SUBCHANNEL) = (A,B,C,D)). Further, it will be assumed that a start region of persistent resources 511 allocated to the MS1 is identical to a start region of the HARQ region 500.
Therefore, the MS1, the MS2 and the MS3 each detect HARQ region definition information for the HARQ region 500, a Persistent Region ID for identifying the HARQ region 500, a slot offset and duration information, from the frame #(K+P) through a Persistent HARQ DL MAP IE, and determine persistent resources allocated to themselves using the detected HARQ region definition information, Persistent Region ID, slot offset and duration information. In addition, the MS1, the MS2 and the MS3 each store the detected HARQ region definition information, Persistent Region ID, slot offset and duration information in such a manner that the MS1 stores slot offset = 0 and duration = 10, the MS2 stores slot offset = 10 and duration = 10, and the MS3 stores slot offset = 20 and duration = 20.
Thereafter, if a location of the HARQ region is changed in a frame #(K+2P), locations of the persistent resources allocated to the MS1, the MS2 and the MS3 are also changed. That is, persistent resources of the MS1, the MS2 and the MS3 are allocated in the location-changed HARQ region 500, or a new HARQ region 550, after undergoing a location change. It will be assumed herein that the new HARQ region 550, compared with the HARQ region 500, is doubled along the subchannel axis, and halved along the OFDMA symbol axis. Further, it will be assumed that the new HARQ region 550 is defined by HARQ region definition information where OFDMA symbol offset = A', subchannel offset = B', the number of OFDMA symbols = C', and the number of subchannels = D' (OFDMA SYMBOL OFFSET, SUBCHANNEL OFFSET, NUMBER OF OFDMA SYMBOL, NUMBER OF SUBCHANNEL) = (A',B',C',D')).
Therefore, the MS1, the MS2 and the MS3 each detect HARQ region definition information for the new HARQ region 550 and a Persistent Region ID from the frame #(K+2P) through a Persistent HARQ DL MAP IE, and determine locations of persistent resources allocated to themselves using the detected HARQ region definition information and the stored slot offset and duration information. Of course, the stored Persistent Region ID is identical to the detected Persistent Region ID. In this case, locations of the persistent resources 511, 513 and 515, which were allocated to the MS1, the MS2 and the MS3 in the frame #(K+P), are changed in the frame #(K+2P). That is, in the frame #(K+2P), persistent resources 561, 563 and 565 are allocated to the MS1, the MS2 and the MS3, respectively.
With reference to FIG. 6, a description will now be made of a method for allocating UL resources using a persistent scheduling scheme by a BS in an IEEE 802.16 communication system according to an exemplary embodiment of the present invention.
FIG. 6 is a flowchart illustrating a procedure for allocating UL resources using a persistent scheduling scheme by a BS in an IEEE 802.16 communication system according to an exemplary embodiment of the present invention.
Referring to FIG. 6, in step 611, the BS allocates persistent resources of a HARQ region to an arbitrary MS. In step 613, the BS generates a UL MAP message including a Persistent HARQ UL MAP IE, transmits the generated UL MAP message to the MS, and then proceeds to step 615. The Persistent HARQ UL MAP IE includes HARQ region definition information, a Persistent Region ID for identifying the HARQ region, a slot offset and duration information.
The HARQ region definition information includes an OFDMA symbol offset and a subchannel offset. The HARQ region is defined herein by the OFDMA symbol offset and the subchannel offset. That is, in the UL, unlike in the DL, since the HARQ region is defined not in two dimensions, but in one dimension, the HARQ region is defined in one dimension beginning from the start region of the HARQ region. The start region represents a region corresponding to the lowest-numbered OFDMA symbol in the lowest-numbered subchannel of the HARQ region, and it will be assumed to be, for example, a slot. In addition, the allocated persistent resources include the slots that correspond to information on the duration from the location that is spaced apart from the start region by slots, the number of which corresponds to the slot offset. In conclusion, the slot offset is location information of the persistent resources.
In step 615, upon detecting the need to change a location of the HARQ region, the BS changes a location of the HARQ region, and then proceeds to step 617. Since the operation of detecting the need to change a location of the HARQ region is not a focus of the present invention, a detailed description thereof will be omitted herein. In step 617, the BS changes persistent resources of the HARQ region to persistent resources of the location-changed HARQ region, or new HARQ region, allocates the changed persistent resources to the MS, and then proceeds to step 619. A detailed description will now be made of a process in which the BS changes persistent resources of the HARQ region to persistent resources of a new HARQ region, and allocates the changed persistent resources to the MS.
A location of the new HARQ region is different from the location of the HARQ region, and HARQ region definition information representing the new HARQ region is also different from the HARQ region definition information of the HARQ region. Therefore, the BS location-changes the persistent resources of the HARQ region allocated to the MS, to the slots that correspond to information on the duration from the location which is spaced apart from a start region of the new HARQ region by slots, the number of which corresponds to the slot offset, and then allocates the persistent resources.
In step 619, the BS generates a UL MAP message including the Persistent HARQ UL MAP IE, and transmits the generated UL MAP message to the MS. The Persistent HARQ UL MAP IE may include only the HARQ region definition information of the new HARQ region and the Persistent Region ID, and may not include the slot offset and the duration information. In addition, the HARQ region definition information of the new HARQ region may also include an OFDMA symbol offset and a subchannel offset. Of course, the Persistent Region ID included in the Persistent HARQ UL MAP IE described in step 619 is identical to Persistent Region ID included in the Persistent HARQ UL MAP IE described in step 613.
In the case where the BS persistently allocates resources to the MS as described in FIG. 6, even though a location of the HARQ region is changed, there is no need to separately include the slot offset and the duration information in the Persistent HARQ UL MAP IE.
With reference to FIG. 7, a description will now be made of a method in which an MS determines a location of UL resources that a BS allocated using a persistent scheduling scheme in an IEEE 802.16 communication system according to an exemplary embodiment of the present invention.
FIG. 7 is a flowchart illustrating a procedure in which an MS determines a location of UL persistent resources that a BS allocated using a persistent scheduling scheme in an IEEE 802.16 communication system according to an exemplary embodiment of the present invention.
Referring to FIG. 7, in step 711, the MS receives a UL MAP message from a BS, and detects a Persistent HARQ UL MAP IE included in the UL MAP message. In step 713, the MS detects HARQ region definition information, a Persistent Region ID, a slot offset and duration information from the Persistent HARQ UL MAP IE, and stores the detected HARQ region definition information, Persistent Region ID, slot offset and duration information. In step 715, the MS determines a location of persistent resources allocated to the MS using the HARQ region definition information and the slot offset, and then proceeds to step 717. A detailed description will now be made of a process in which the MS determines a location of the persistent resources.
The MS detects a start region of the HARQ region using an OFDMA symbol offset and a subchannel offset included in the HARQ region definition information. The MS determines, as a location of the persistent resources, the location that is spaced apart from the detected start region of the HARQ region by slots, the number of which corresponds to the slot offset.
In step 717, the MS receives a UL MAP message from the BS, and detects a Persistent HARQ UL MAP IE included in the UL MAP message. In step 719, the MS detects HARQ region definition information and a Persistent Region ID from the Persistent HARQ UL MAP IE. In step 720, the MS determines if the detected Persistent Region ID is identical to the stored Persistent Region ID. If it is determined that the detected Persistent Region ID is identical to the stored Persistent Region ID, the MS proceeds to step 721. However, if it is determined in step 720 that the detected Persistent Region ID is not identical to the stored Persistent Region ID, the MS proceeds to step 722. When the detected Persistent Region ID is not identical to the stored Persistent Region ID, the detected Persistent Region ID indicates a Persistent HARQ UL MAP IE for a HARQ region different from the HARQ region identified by the stored Persistent Region ID. Therefore, in step 722, the MS performs an operation associated with the corresponding Persistent HARQ UL MAP IE.
In step 721, the MS determines if the detected HARQ region definition information is identical to the stored HARQ region definition information. If it is determined that the detected HARQ region definition information is not identical to the stored HARQ region definition information, the MS, determining that a location of the HARQ region has been changed, stores HARQ region definition information of the location-changed HARQ region, or new HARQ region, in step 723.
Thereafter, in step 725, the MS determines a location of persistent resources of the new HARQ region, which are allocated to the MS after undergoing a location change, using the HARQ region definition information of the new HARQ region and the stored slot offset. The MS detects a start region of the new HARQ region using an OFDMA symbol offset and a subchannel offset included in the HARQ region definition information of the new HARQ region. The MS determines, as a location of persistent resources allocated to the MS after undergoing a location change, the location that is spaced apart from the detected start region of the new HARQ region by slots, the number of which corresponds to the slot offset.
However, if it is determined in step 721 that the received HARQ region definition information is identical to the stored HARQ region definition information, the MS proceeds to step 727 where it maintains the location of the resources persistently allocated to the MS.
With reference to FIG. 8, a description will now be made of a case where locations of UL resources persistently allocated to MSs are changed due to a location change of a HARQ region in an IEEE 802.16 communication system according to an exemplary embodiment of the present invention.
FIG. 8 is a diagram schematically illustrating a case where locations of UL resources persistently allocated to MSs are changed due to a location change of a HARQ region in an IEEE 802.16 communication system according to an exemplary embodiment of the present invention.
Referring to FIG. 8, it will be assumed herein that in a frame #(K+P), persistent resources of 10 slots, 10 slots and 20 slots are allocated to MS1, MS2 and MS3, respectively, starting from a start region 810 of the HARQ region. In addition, it will be assumed herein that the HARQ region is defined by HARQ region definition information where OFDMA symbol offset = A and subchannel offset = B (OFDMA SYMBOL OFFSET, SUBCHANNEL OFFSET) = (A,B)). Further, it will be assumed that a start region of persistent resources 820 allocated to the MS1 is identical to the start region 810 of the HARQ region.
Therefore, the MS1, the MS2 and the MS3 each detect HARQ region definition information for the HARQ region, a Persistent Region ID for identifying the HARQ region, a slot offset and duration information, from the frame #(K+P) through the Persistent HARQ UL MAP IE, and determine persistent resources allocated to themselves using the detected HARQ region definition information, Persistent Region ID, slot offset and duration information. In addition, the MS1, the MS2 and the MS3 each store the detected HARQ region definition information, Persistent Region ID, slot offset, duration information in such a manner that the MS1 stores slot offset = 0 and duration = 10, the MS2 stores slot offset = 10 and duration = 10, and the MS3 stores slot offset = 20 and duration = 20.
Thereafter, if a location of the HARQ region is changed in a frame #(K+2P), locations of the persistent resources allocated to the MS1, the MS2 and the MS3 are also changed. That is, persistent resources of the MS1, the MS2 and the MS3 are allocated in the location-changed HARQ region, or a new HARQ region, after undergoing a location change. It will be assumed herein that the new HARQ region is defined by HARQ region definition information where OFDMA symbol offset = A' and subchannel offset = B' ((OFDMA SYMBOL OFFSET, SUBCHANNEL OFFSET) = (A',B')).
Therefore, the MS1, the MS2 and the MS3 each detect HARQ region definition information for the new HARQ region and the Persistent Region ID from the frame #(K+2P) through the Persistent HARQ UL MAP IE, and determine persistent resources allocated themselves using the detected HARQ region definition information and the stored slot offset and duration information. Of course, the stored Persistent Region ID is identical to the detected Persistent Region ID. In this case, locations of the persistent resources 820, 830 and 840, which were allocated to the MS1, the MS2 and the MS3 in the frame #(K+P), are changed in the frame #(K+2P). That is, in the frame #(K+2P), persistent resources 860, 870 and 880 are allocated to the MS1, the MS2 and the MS3, respectively, starting from a start region 850 of the new HARQ region.
With reference to FIG. 9, a description will now be made of an internal structure of a BS apparatus in an IEEE 802.16 communication system according to an exemplary embodiment of the present invention.
FIG. 9 is a diagram illustrating an internal structure of a BS apparatus in an IEEE 802.16 communication system according to an exemplary embodiment of the present invention.
Referring to FIG. 9, a BS apparatus 900 includes a controller 910 and a transmitter 920. The controller 910 allocates DL resources and UL resources using a persistent scheduling scheme, and generates resource allocation messages for the allocated DL resources and UL resources. In particular, the controller 910 allocates DL resources and UL resources taking into account a location change of a HARQ region, and generates resource allocation messages for the allocated DL resources and UL resources. The operation in which the controller 910 allocates DL resources and UL resources has been described with reference to FIGs. 3 and 6.
The resource allocation messages generated in the controller 910 are delivered to the transmitter 920, and the transmitter 920 transmits the resource allocation messages generated by the controller 910 to MSs. The term 'resource allocation message' as used herein refers to, for example, the DL MAP message including a Persistent HARQ DL MAP IE, or the UL MAP message including a Persistent HARQ UL MAP IE. A detailed description of the Persistent HARQ DL MAP IE and the Persistent HARQ UL MAP IE has been made above.
With reference to FIG. 10, a description will now be made of an internal structure of an MS apparatus in an IEEE 802.16 communication system according to an exemplary embodiment of the present invention.
FIG. 10 is a diagram illustrating an internal structure of an MS apparatus in an IEEE 802.16 communication system according to an exemplary embodiment of the present invention.
Referring to FIG. 10, an MS apparatus 1000 includes a controller 1010 and a receiver 1020.
The controller 1010 determines locations of DL resources and UL resources that a BS allocated using a persistent scheduling scheme, and uses the location-determined DL persistent resources and UL persistent resources. The operation in which the controller 1010 determines locations of DL resources and UL resources that the BS allocated using the persistent scheduling scheme has been described with reference to FIGs. 4 and 7.
The receiver 1020 receives a resource allocation message from the BS. The term 'resource allocation message' as used herein refers to, for example, the DL MAP message including a Persistent HARQ DL MAP IE, or the UL MAP message including a Persistent HARQ UL MAP IE. A detailed description of the Persistent HARQ DL MAP IE and the Persistent HARQ UL MAP IE has been made above. That is, the controller 1010 determines locations of the DL resources and UL resources that the BS allocated using the persistent scheduling scheme, depending on the resource allocation message that the receiver 1020 received. In addition, the controller 1010 can store, in its internal memory, various information such as a Persistent Region ID, HARQ region definition information of a HARQ region, and HARQ region definition information of a new HARQ region. Alternatively, the controller 1010 can store the various information such as a Persistent Region ID, HARQ region definition information of a HARQ region, and HARQ region definition information of a new HARQ region, not in the internal memory, but in a separate memory.
As is apparent from the foregoing description, according to exemplary embodiments of the present invention, the communication system can allocate resources while taking into account a location change of a HARQ region in allocating resources using the persistent scheduling scheme, thereby contributing to an increase in resource allocation flexibility of the communication system and thus improving the system performance.
While the invention has been shown and described with reference to certain exemplary embodiments thereof, it will be understood by those skilled in the art that various changes in form and details may be made therein without departing from the spirit and scope of the invention as defined by the appended claims and their equivalents.
WHAT IS CLAIMED IS:
1.A method for allocating resources by a Base Station (BS) in a wireless communication system, the method comprising:
allocating persistent resources in a Hybrid Automatic Repeat Request (HARQ) region to a Mobile Station (MS);
changing a location of the HARQ region; and
location-changing the persistent resources in the HARQ region to persistent resources in a new HARQ region, and allocating the persistent resources in the new HARQ region to the MS,
wherein the new HARQ region comprises the location-changed HARQ region.
2.    The method of claim 1, wherein location information of the persistent resources in the HARQ region is identical to location information of the persistent resources in the new HARQ region.
3.    The method of claim 2, wherein when the HARQ region and the new HARQ region each comprise DownLink (DL) resources, the HARQ region and the new HARQ region are each defined by HARQ region definition information, and the HARQ region definition information includes an Orthogonal Frequency Division Multiple Access (OFDMA) symbol offset, a subchannel offset, the number of OFDMA symbols, and the number of subchannels;
wherein a Persistent Region Identifier (ID) of the HARQ region is identical to a Persistent Region ID of the new HARQ region; and
wherein the location information of the persistent resources in the HARQ region and the location information of the persistent resources in the new HARQ region each comprise a slot offset.
4.    The method of claim 3, wherein the slot offset of the persistent resources in the HARQ region is counted from a lowest-numbered OFDMA symbol in a lowest-numbered subchannel of the HARQ region, and the slot offset of the persistent resources in the new HARQ region is counted from a lowest-numbered OFDMA symbol in a lowest-numbered subchannel of the new HARQ region.
5.    The method of claim 2, wherein when the HARQ region and the new HARQ region each comprise UpLink (UL) resources, the HARQ region and the new HARQ region are each defined by HARQ region definition information, and the HARQ region definition information includes an Orthogonal Frequency Division Multiple Access (OFDMA) symbol offset and a subchannel offset;
wherein a Persistent Region Identifier (ID) of the HARQ region is identical to a Persistent Region ID of the new HARQ region; and
wherein the location information of the persistent resources in the HARQ region and the location information of the persistent resources in the new HARQ region each comprise a slot offset.
6.    The method of claim 5, wherein the slot offset of the persistent resources in the HARQ region is counted from a start region defined by an OFDMA symbol offset and a subchannel offset, used for defining the HARQ region, and the slot offset of the persistent resources in the new HARQ region is counted from a start region defined by an OFDMA symbol offset and a subchannel offset, used for defining the new HARQ region.
7.    A method for allocating resources by a Base Station (BS) in a wireless communication system, the method comprising:
transmitting to a Mobile Station (MS) a first resource allocation message including Hybrid Automatic Repeat Request (HARQ) region definition information of a HARQ region, a Persistent Region Identifier (ID), and location information of persistent resources in the HARQ region to allocate the persistent resources in the HARQ region to the MS;
when a location of the HARQ region is changed, setting a Persistent Region ID of a new HARQ region, which is the location-changed HARQ region, to be identical to a Persistent Region ID of the HARQ region; and
transmitting to the MS a second resource allocation message including HARQ region definition information of the new HARQ region and the Persistent Region ID of the new HARQ region.
8.    The method of claim 7, further comprising:
when the location of the HARQ region is changed, location-changing the persistent resources in the HARQ region to persistent resources in the new HARQ region and allocating the persistent resources in the new HARQ region to the MS.
9.    The method of claim 7, wherein the location information of the persistent resources in the HARQ region is identical to location information of persistent resources in the new HARQ region.
10.   The method of claim 9, wherein when the HARQ region and the new HARQ region each comprise DownLink (DL) resources, the HARQ region definition information of the HARQ region and the HARQ region definition information of the new HARQ region each include an Orthogonal Frequency Division Multiple Access (OFDMA) symbol offset, a subchannel offset, the number of OFDMA symbols, and the number of subchannels; and
wherein the location information of the persistent resources in the HARQ region and the location information of the persistent resources in the new HARQ region each comprise a slot offset.
11.   The method of claim 10, wherein the slot offset of the persistent resources in the HARQ region is counted from a lowest-numbered OFDMA symbol in a lowest-numbered subchannel of the HARQ region, and the slot offset of the persistent resources in the new HARQ region is counted from a lowest-numbered OFDMA symbol in a lowest-numbered subchannel of the new HARQ region.
12.   The method of claim 9, wherein when the HARQ region and the new HARQ region each comprise UpLink (UL) resources, the HARQ region and the new HARQ region are each defined by HARQ region definition information, and the HARQ region definition information includes an Orthogonal Frequency Division Multiple Access (OFDMA) symbol offset and a subchannel offset; and
wherein the location information of the persistent resources in the HARQ region and the location information of the persistent resources in the new HARQ region each comprise a slot offset.
13.   The method of claim 12, wherein the slot offset of the persistent resources in the HARQ region is counted from a start region defined by an OFDMA symbol offset and a subchannel offset, used for defining the HARQ region, and the slot offset of the persistent resources in the new HARQ region is counted from a start region defined by an OFDMA symbol offset and a subchannel offset, used for defining the new HARQ region.
14.   A method for allocating resources by a Mobile Station (MS) in a wireless communication system, the method comprising:
receiving a first resource allocation message used for allocating persistent resources in a Hybrid Automatic Repeat Request (HARQ) region;
determining a location of persistent resources  in the HARQ region according to the first resource allocation message;
receiving a second resource allocation message used for location-changing the persistent resources in the HARQ region to persistent resources in a new HARQ region according to a location change of the HARQ region and allocating the persistent resources in the new HARQ region; and
determining a location of the persistent resources in the new HARQ region according to location information of the persistent resources in the HARQ region and the second resource allocation message,
wherein the new HARQ region comprises the location-changed HARQ region.
15.   The method of claim 14, wherein the location information of the persistent resources in the HARQ region is identical to location information of the persistent resources in the new HARQ region.
16.   The method of claim 15, wherein when the HARQ region and the new HARQ region each comprise DownLink (DL) resources, the HARQ region and the new HARQ region are each defined by HARQ region definition information, and the HARQ region definition information includes an Orthogonal Frequency Division Multiple Access (OFDMA) symbol offset, a subchannel offset, the number of OFDMA symbols, and the number of subchannels; and
wherein a Persistent Region Identifier (ID) of the HARQ region is substantially identical to a Persistent Region ID of the new HARQ region, and the location information of the persistent resources in the HARQ region and the location information of the persistent resources in the new HARQ region each comprise a slot offset.
17.   The method of claim 16, wherein the slot offset of the persistent resources in the HARQ region is counted from a lowest-numbered OFDMA symbol in a lowest-numbered subchannel of the HARQ region, and the slot offset of the persistent resources in the new HARQ region is counted from a lowest-numbered OFDMA symbol in a lowest-numbered subchannel of the new HARQ region.
18.   The method of claim 15, wherein when the HARQ region and the new HARQ region each comprise UpLink (UL) resources, the HARQ region and the new HARQ region are each defined by HARQ region definition information, and the HARQ region definition information includes an Orthogonal Frequency Division Multiple Access (OFDMA) symbol offset and a subchannel offset;
wherein a Persistent Region Identifier (ID) of the HARQ region is substantially identical to a Persistent Region ID of the new HARQ region; and
wherein the location information of the persistent resources in the HARQ region and the location information of the persistent resources in the new HARQ region each comprise a slot offset.
19.   The method of claim 18, wherein the slot offset of the persistent resources of the HARQ region is counted from a start region defined by an OFDMA symbol offset and a subchannel offset, used for defining the HARQ region, and the slot offset of the persistent resources in the new HARQ region is counted from a start region defined by an OFDMA symbol offset and a subchannel offset, used for defining the new HARQ region.
20. A method for allocating resources by a Mobile Station (MS) in a wireless communication system, the method comprising:
receiving a first resource allocation message including Hybrid Automatic Repeat Request (HARQ) region definition information of a HARQ region, a Persistent Region Identifier (ID), and location information of persistent resources in the HARQ region to allocate the persistent resources in the HARQ region;
storing the HARQ region definition information and the Persistent Region ID;
determining a location of persistent resources in the HARQ region according to the first resource allocation message; and
upon receipt of a second resource allocation message including a Persistent Region ID identical to the stored Persistent Region ID, determining a location of persistent resources in a new HARQ region according to the location information of the persistent resources in the HARQ region and the second resource allocation message,
wherein the new HARQ region comprises the HARQ region location-changed according to a location change of the HARQ region, and the second resource allocation message includes HARQ region definition information of the new HARQ region and the Persistent Region ID.
21.   The method of claim 20, wherein the location information of the persistent resources in the HARQ region is identical to location information of the persistent resources in the new HARQ region.
22.   The method of claim 21, wherein when the HARQ region and the new HARQ region each comprise DownLink (DL) resources, the HARQ region definition information of the HARQ region and the HARQ region definition information of the new HARQ region each include an Orthogonal Frequency Division Multiple Access (OFDMA) symbol offset, a subchannel offset, the number of OFDMA symbols, and the number of subchannels; and
wherein the location information of the persistent resources in the HARQ region comprises a slot offset.
23.   The method of claim 22, wherein the slot offset of the persistent resources in the HARQ region is counted from a lowest-numbered OFDMA symbol in a lowest-numbered subchannel of the HARQ region.
24.   The method of claim 21, wherein when the HARQ region and the new HARQ region each comprise UpLink (UL) resources, the HARQ region definition information of the HARQ region and the HARQ region definition information of the new HARQ region each include an Orthogonal Frequency Division Multiple Access (OFDMA) symbol offset and a subchannel offset; and
wherein the location information of the persistent resources in the HARQ region comprises a slot offset.
25.   The method of claim 24, wherein the slot offset of the persistent resources in the HARQ region is counted from a start region defined by an OFDMA symbol offset and a subchannel offset included in the HARQ region definition information of the HARQ region.
26.   The method of claim 21, wherein the determining of the location of the persistent resources in a new HARQ region according to the second resource allocation message comprises:
when the location information of the persistent resources in the HARQ region comprises a slot offset, determining the location of the persistent resources in the new HARQ region using the HARQ region definition information of the new HARQ region and the slot offset.
27.   The method of claim 21, further comprising:
storing the HARQ region definition information of the new HARQ region.
28.   A method for allocating resources in a wireless communication system, the method comprising:
allocating, by a Base Station (BS), persistent resources in a Hybrid Automatic Repeat Request (HARQ) region to a Mobile Station (MS), and transmitting to the MS a first resource allocation message used for allocating the persistent resources in the HARQ region;
receiving, by the MS, the first resource allocation message;
determining, by the MS, a location of persistent resources in the HARQ region according to the first resource allocation message;
changing, by the BS, a location of the HARQ region;
location-changing, by the BS, the persistent resources in the HARQ region to persistent resources in a new HARQ region, allocating the persistent resources in the new HARQ region to the MS, and transmitting to the MS a second resource allocation message used for location-changing the persistent resources in the HARQ region to the persistent resources in the new HARQ region and allocating the persistent resources to the MS;
receiving, by the MS, the second resource allocation message; and
determining, by the MS, a location of the persistent resources in the new HARQ region according to location information of the persistent resources in the HARQ region and the second resource allocation message,
wherein the new HARQ region comprises the location-changed HARQ region.
29.   The method of claim 28, wherein the location information of the persistent resources in the HARQ region is substantially identical to location information of the persistent resources in the new HARQ region.
30.   The method of claim 29, wherein when the HARQ region and the new HARQ region each comprise DownLink (DL) resources, the HARQ region and the new HARQ region are each defined by HARQ region definition information, and the HARQ region definition information includes an Orthogonal Frequency Division Multiple Access (OFDMA) symbol offset, a subchannel offset, the number of OFDMA symbols, and the number of subchannels;
wherein a Persistent Region Identifier (ID) of the HARQ region is substantially identical to a Persistent Region ID of the new HARQ region; and
wherein the location information of the persistent resources in the HARQ region and the location information of the persistent resources in the new HARQ region each comprise a slot offset.
31.   The method of claim 30, wherein the slot offset of the persistent resources in the HARQ region is counted from a lowest-numbered OFDMA symbol in a lowest-numbered subchannel of the HARQ region, and the slot offset of the persistent resources in the new HARQ region is counted from a lowest-numbered OFDMA symbol in a lowest-numbered subchannel of the new HARQ region.
32.   The method of claim 29, wherein when the HARQ region and the new HARQ region each comprise UpLink (UL) resources, the HARQ region and the new HARQ region are each defined by HARQ region definition information, and the HARQ region definition information includes an Orthogonal Frequency Division Multiple Access (OFDMA) symbol offset and a subchannel offset;
wherein a Persistent Region Identifier (ID) of the HARQ region is substantially identical to a Persistent Region ID of the new HARQ region; and
wherein the location information of the persistent resources in the HARQ region and the location information of the persistent resources in the new HARQ region each comprise a slot offset.
33.   The method of claim 32, wherein the slot offset of the persistent resources in the HARQ region is counted from a start region defined by an OFDMA symbol offset and a subchannel offset, used for defining the HARQ region, and the slot offset of the persistent resources in the new HARQ region is counted from a start region defined by an OFDMA symbol offset and a subchannel offset, used for defining the new HARQ region.
34.   A method for allocating resources in a wireless communication system, the method comprising:
transmitting, by a Base Station (BS), to a Mobile Station (MS) a first resource allocation message including Hybrid Automatic Repeat Request (HARQ) region definition information of a HARQ region, a Persistent Region Identifier (ID), and location information of persistent resources in the HARQ region to allocate the persistent resources in the HARQ region to the MS;
receiving, by the MS, the first resource allocation message;
storing, by the MS, the HARQ region definition information and the Persistent Region ID;
determining, by the MS, a location of persistent resources in the HARQ region according to the first resource allocation message;
when a location of the HARQ region is changed, setting, by the BS, a Persistent Region ID of a new HARQ region, which comprises the location-changed HARQ region, to be identical to a Persistent Region ID of the HARQ region;
transmitting, by the BS, to the MS a second resource allocation message including HARQ region definition information of the new HARQ region and the Persistent Region ID of the new HARQ region; and
upon receipt of the second resource allocation message including a Persistent Region ID identical to the stored Persistent Region ID, determining, by the MS, a location of persistent resources in the new HARQ region according to the location information of the persistent resources in the HARQ region and the second resource allocation message.
35.   The method of claim 34, further comprising:
when the location of the HARQ region is changed, location-changing, by the BS, the persistent resources in the HARQ region to the persistent resources in the new HARQ region, and allocating the persistent resources in the new HARQ region to the MS.
36.   The method of claim 34, wherein the location information of the persistent resources in the HARQ region is identical to location information of the persistent resources in the new HARQ region.
37.   The method of claim 36, wherein when the HARQ region and the new HARQ region each comprise DownLink (DL) resources, the HARQ region definition information of the HARQ region and the HARQ region definition information of the new HARQ region each include an Orthogonal Frequency Division Multiple Access (OFDMA) symbol offset, a subchannel offset, the number of OFDMA symbols, and the number of subchannels; and
wherein the location information of the persistent resources in the HARQ region and the location information of the persistent resources in the new HARQ region each comprise a slot offset.
38.   The method of claim 37, wherein the slot offset of the persistent resources in the HARQ region is counted from a lowest-numbered OFDMA symbol in a lowest-numbered subchannel of the HARQ region, and the slot offset of the persistent resources in the new HARQ region is counted from a lowest-numbered OFDMA symbol in a lowest-numbered subchannel of the new HARQ region.
39.   The method of claim 35, wherein when the HARQ region and the new HARQ region each comprise UpLink (UL) resources, the HARQ region and the new HARQ region are each defined by the HARQ region definition information, and the HARQ region definition information includes an Orthogonal Frequency Division Multiple Access (OFDMA) symbol offset and a subchannel offset; and
wherein the location information of the persistent resources in the HARQ region and the location information of the persistent resources in the new HARQ region each comprise a slot offset.
40.   The method of claim 39, wherein the slot offset of the persistent resources in the HARQ region is counted from a start region defined by an OFDMA symbol offset and a subchannel offset, used for defining the HARQ region, and the slot offset of the persistent resources in the new HARQ region is counted from a start region defined by an OFDMA symbol offset and a subchannel offset, used for defining the new HARQ region.
41.   The method of claim 34, wherein the determining, by the MS, the location of the persistent resources in the new HARQ region according to the second resource allocation message comprises:
when the location information of the persistent resources in the HARQ region comprises a slot offset, determining the location of the persistent resources in the new HARQ region using the HARQ region definition information of the new HARQ region and the slot offset.
42.   The method of claim 34, further comprising:
storing, by the MS, the HARQ region definition information of the new HARQ region.
43. A Base Station (BS) apparatus in a wireless communication system, the apparatus comprising:
a controller for allocating persistent resources in a Hybrid Automatic Repeat Request (HARQ) region to a Mobile Station (MS), for changing a location of the HARQ region, for location-changing the persistent resources in the HARQ region to persistent resources in a new HARQ region, and for allocating the persistent resources in the new HARQ region to the MS,
wherein the new HARQ region comprises the location-changed HARQ region.
44.   The apparatus of claim 43, wherein location information of the persistent resources in the HARQ region is identical to location information of the persistent resources in the new HARQ region.
45.   The apparatus of claim 44, wherein when the HARQ region and the new HARQ region each comprise DownLink (DL) resources, the HARQ region and the new HARQ region are each defined by HARQ region definition information, and the HARQ region definition information includes an Orthogonal Frequency Division Multiple Access (OFDMA) symbol offset, a subchannel offset, the number of OFDMA symbols, and the number of subchannels;
wherein a Persistent Region Identifier (ID) of the HARQ region is substantially identical to a Persistent Region ID of the new HARQ region; and
wherein the location information of the persistent resources in the HARQ region and the location information of the persistent resources in the new HARQ region each comprise a slot offset.
46.   The apparatus of claim 45, wherein the slot offset of the persistent resources in the HARQ region is counted from a lowest-numbered OFDMA symbol in a lowest-numbered subchannel of the HARQ region, and the slot offset of the persistent resources in the new HARQ region is counted from a lowest-numbered OFDMA symbol in a lowest-numbered subchannel of the new HARQ region.
47.   The apparatus of claim 44, wherein when the HARQ region and the new HARQ region each comprise UpLink (UL) resources, the HARQ region and the new HARQ region are each defined by HARQ region definition information, and the HARQ region definition information includes an Orthogonal Frequency Division Multiple Access (OFDMA) symbol offset and a subchannel offset;
wherein a Persistent Region Identifier (ID) of the HARQ region is substantially identical to a Persistent Region ID of the new HARQ region; and
wherein the location information of the persistent resources in the HARQ region and the location information of the persistent resources in the new HARQ region each comprise a slot offset.
48.   The apparatus of claim 47, wherein the slot offset of the persistent resources in the HARQ region is counted from a start region defined by an OFDMA symbol offset and a subchannel offset, used for defining the HARQ region, and the slot offset of the persistent resources in the new HARQ region is counted from a start region defined by an OFDMA symbol offset and a subchannel offset, used for defining the new HARQ region.
49.   A Base Station (BS) apparatus in a wireless communication system, the apparatus comprising:
a transmitter for transmitting to a Mobile Station (MS) a first resource allocation message including Hybrid Automatic Repeat Request (HARQ) region definition information of a HARQ region, a Persistent Region Identifier (ID), and location information of persistent resources in the HARQ region to allocate the persistent resources in the HARQ region to the MS, and for transmitting to the MS a second resource allocation message including HARQ region definition information and a Persistent Region ID of a new HARQ region; and
a controller, when a location of the HARQ region is changed, for setting a Persistent Region ID of the new HARQ region, which comprises the location-changed HARQ region, to be identical to a Persistent Region ID of the HARQ region.
50.   The apparatus of claim 49, wherein when the location of the HARQ region is changed, the controller location-changes the persistent resources in the HARQ region to persistent resources in the new HARQ region and allocates the persistent resources in the new HARQ region to the MS.
51.   The apparatus of claim 49, wherein the location information of the persistent resources in the HARQ region is identical to location information of persistent resources in the new HARQ region.
52.   The apparatus of claim 51, wherein when the HARQ region and the new HARQ region each comprise DownLink (DL) resources, the HARQ region definition information of the HARQ region and the HARQ region definition information of the new HARQ region each include an Orthogonal Frequency Division Multiple Access (OFDMA) symbol offset, a subchannel offset, the number of OFDMA symbols, and the number of subchannels; and
wherein the location information of the persistent resources in the HARQ region and the location information of the persistent resources in the new HARQ region each comprise a slot offset.
53.   The apparatus of claim 52, wherein the slot offset of the persistent resources in the HARQ region is counted from a lowest-numbered OFDMA symbol in a lowest-numbered subchannel of the HARQ region, and the slot offset of the persistent resources in the new HARQ region is counted from a lowest-numbered OFDMA symbol in a lowest-numbered subchannel of the new HARQ region.
54.   The apparatus of claim 51, wherein when the HARQ region and the new HARQ region each comprise UpLink (UL) resources, the HARQ region and the new HARQ region are each defined by HARQ region definition information, and the HARQ region definition information includes an Orthogonal Frequency Division Multiple Access (OFDMA) symbol offset and a subchannel offset; and
wherein the location information of the persistent resources in the HARQ region and the location information of the persistent resources in the new HARQ region each comprise a slot offset.
55.   The apparatus of claim 54, wherein the slot offset of the persistent resources in the HARQ region is counted from a start region defined by an OFDMA symbol offset and a subchannel offset, used for defining the HARQ region, and the slot offset of the persistent resources in the new HARQ region is counted from a start region defined by an OFDMA symbol offset and a subchannel offset, used for defining the new HARQ region.
56.   A Mobile Station (MS) apparatus in a wireless communication system, the apparatus comprising:
a receiver for receiving a first resource allocation message used for allocating persistent resources in a Hybrid Automatic Repeat Request (HARQ) region, for receiving a second resource allocation message used for location-changing persistent resources in the HARQ region to persistent resources in a new HARQ region according to a location change of the HARQ region, and for allocating the persistent resources in the new HARQ region; and
a controller for determining a location of persistent resources in the HARQ region according to the first resource allocation message, and for determining a location of the persistent resources in the new HARQ region according to location information of the persistent resources in the HARQ region and the second resource allocation message,
wherein the new HARQ region comprises the location-changed HARQ region.
57.   The apparatus of claim 56, wherein the location information of the persistent resources in the HARQ region is identical to location information of the persistent resources in the new HARQ region.
58.   The apparatus of claim 57, wherein when the HARQ region and the new HARQ region each comprise DownLink (DL) resources, the HARQ region and the new HARQ region are each defined by HARQ region definition information, and the HARQ region definition information includes an Orthogonal Frequency Division Multiple Access (OFDMA) symbol offset, a subchannel offset, the number of OFDMA symbols, and the number of subchannels; and
wherein a Persistent Region Identifier (ID) of the HARQ region is identical to a Persistent Region ID of the new HARQ region, and the location information of the persistent resources in the HARQ region and the location information of the persistent resources in the new HARQ region each comprise a slot offset.
59.   The apparatus of claim 58, wherein the slot offset of the persistent resources in the HARQ region is counted from a lowest-numbered OFDMA symbol in a lowest-numbered subchannel of the HARQ region, and the slot offset of the persistent resources in the new HARQ region is counted from a lowest-numbered OFDMA symbol in a lowest-numbered subchannel of the new HARQ region.
60.   The apparatus of claim 57, wherein when the HARQ region and the new HARQ region each comprise UpLink (UL) resources, the HARQ region and the new HARQ region are each defined by HARQ region definition information, and the HARQ region definition information includes an Orthogonal Frequency Division Multiple Access (OFDMA) symbol offset and a subchannel offset;
wherein a Persistent Region Identifier (ID) of the HARQ region is substantially identical to a Persistent Region ID of the new HARQ region; and
wherein the location information of the persistent resources in the HARQ region and the location information of the persistent resources in the new HARQ region each comprise a slot offset.
61.   The apparatus of claim 60, wherein the slot offset of the persistent resources of the HARQ region is counted from a start region defined by an OFDMA symbol offset and a subchannel offset, used for defining the HARQ region, and the slot offset of the persistent resources in the new HARQ region is counted from a start region defined by an OFDMA symbol offset and a subchannel offset, used for defining the new HARQ region.
62.    A Mobile Station (MS) apparatus in a wireless communication system, the apparatus comprising:
a receiver for receiving a first resource allocation message including Hybrid Automatic Repeat Request (HARQ) region definition information of a HARQ region, a Persistent Region Identifier (ID), and location information of persistent resources in the HARQ region to allocate the persistent resources in the HARQ region, and for receiving a second resource allocation message including a Persistent Region ID; and
a controller for storing the HARQ region definition information and the Persistent Region ID, for determining a location of persistent resources in the HARQ region according to the first resource allocation message, and for determining a location of persistent resources in a new HARQ region according to location information of the persistent resources in the HARQ region and the second resource allocation message if the Persistent Region ID included in the second resource allocation message is identical to the stored Persistent Region ID,
wherein the new HARQ region comprises the HARQ region location-changed according to a location change of the HARQ region, and the second resource allocation message includes HARQ region definition information of the new HARQ region and the Persistent Region ID.
63.   The apparatus of claim 62, wherein the location information of the persistent resources in the HARQ region is identical to location information of the persistent resources in the new HARQ region.
64.   The apparatus of claim 63, wherein when the HARQ region and the new HARQ region each comprise DownLink (DL) resources, the HARQ region definition information of the HARQ region and the HARQ region definition information of the new HARQ region each include an Orthogonal Frequency Division Multiple Access (OFDMA) symbol offset, a subchannel offset, the number of OFDMA symbols, and the number of subchannels; and
wherein the location information of the persistent resources in the HARQ region comprises a slot offset.
65.   The apparatus of claim 64, wherein the slot offset of the persistent resources in the HARQ region is counted from a lowest-numbered OFDMA symbol in a lowest-numbered subchannel of the HARQ region.
66.   The apparatus of claim 63, wherein when the HARQ region and the new HARQ region each comprise UpLink (UL) resources, the HARQ region definition information of the HARQ region and the HARQ region definition information of the new HARQ region each include an Orthogonal Frequency Division Multiple Access (OFDMA) symbol offset and a subchannel offset; and
wherein the location information of the persistent resources in the HARQ region comprises a slot offset.
67.   The apparatus of claim 66, wherein the slot offset of the persistent resources in the HARQ region is counted from a start region defined by an OFDMA symbol offset and a subchannel offset included in the HARQ region definition information of the HARQ region.
68.   The apparatus of claim 63, wherein when the location information of the persistent resources in the HARQ region comprises a slot offset, the controller determines the location of the persistent resources in the new HARQ region using the HARQ region definition information of the new HARQ region and the slot offset.
69.   The apparatus of claim 63, wherein the controller stores the HARQ region definition information of the new HARQ region.
70.   A wireless communication system, the system comprising:
a Base Station (BS) for allocating persistent resources in a Hybrid Automatic Repeat Request (HARQ) region to a Mobile Station (MS), for transmitting to the MS a first resource allocation message used for allocating the persistent resources in the HARQ region, for changing a location of the HARQ region, for location-changing the persistent resources in the HARQ region to persistent resources in a new HARQ region, for allocating the persistent resources in the new HARQ region to the MS, and for transmitting to the MS a second resource allocation message used for location-changing the persistent resources in the HARQ region to the persistent resources in the new HARQ region and for allocating the persistent resources in the new HARQ region to the MS; and
the MS for receiving the first resource allocation message, for determining a location of persistent resources in the HARQ region according to the first resource allocation message, for receiving the second resource allocation message, and for determining a location of the persistent resources in the new HARQ region according to location information of the persistent resources in the HARQ region and the second resource allocation message,
wherein the new HARQ region comprises the location-changed HARQ region.
71.   The system of claim 70, wherein the location information of the persistent resources in the HARQ region is identical to location information of the persistent resources in the new HARQ region.
72.   The system of claim 71, wherein when the HARQ region and the new HARQ region each comprise DownLink (DL) resources, the HARQ region and the new HARQ region are each defined by HARQ region definition information, and the HARQ region definition information includes an Orthogonal Frequency Division Multiple Access (OFDMA) symbol offset, a subchannel offset, the number of OFDMA symbols, and the number of subchannels;
wherein a Persistent Region Identifier (ID) of the HARQ region is identical to a Persistent Region ID of the new HARQ region; and
wherein the location information of the persistent resources in the HARQ region and the location information of the persistent resources in the new HARQ region each comprise a slot offset.
73.   The system of claim 72, wherein the slot offset of the persistent resources in the HARQ region is counted from a lowest-numbered OFDMA symbol in a lowest-numbered subchannel of the HARQ region, and the slot offset of the persistent resources in the new HARQ region is counted from a lowest-numbered OFDMA symbol in a lowest-numbered subchannel of the new HARQ region.
74.   The system of claim 71, wherein when the HARQ region and the new HARQ region each comprise UpLink (UL) resources, the HARQ region and the new HARQ region are each defined by HARQ region definition information, and the HARQ region definition information includes an Orthogonal Frequency Division Multiple Access (OFDMA) symbol offset and a subchannel offset;
wherein a Persistent Region Identifier (ID) of the HARQ region is substantially identical to a Persistent Region ID of the new HARQ region; and
wherein the location information of the persistent resources in the HARQ region and the location information of the persistent resources in the new HARQ region each comprise a slot offset.
75.   The system of claim 74, wherein the slot offset of the persistent resources in the HARQ region is counted from a start region defined by an OFDMA symbol offset and a subchannel offset, used for defining the HARQ region, and the slot offset of the persistent resources in the new HARQ region is counted from a start region defined by an OFDMA symbol offset and a subchannel offset, used for defining the new HARQ region.
76.    A wireless communication system, the system comprising:
a Base Station (BS) for transmitting to a Mobile Station (MS) a first resource allocation message including Hybrid Automatic Repeat Request (HARQ) region definition information of a HARQ region, a Persistent Region Identifier (ID), and location information of persistent resources in the HARQ region to allocate the persistent resources in the HARQ region to the MS, for setting, when a location of the HARQ region is changed, a Persistent Region ID of a new HARQ region, which comprises the location-changed HARQ region, to be identical to the Persistent Region ID of the HARQ region, and for transmitting to the MS a second resource allocation message including HARQ region definition information of the new HARQ region and the Persistent Region ID of the new HARQ region; and
the MS for receiving the first resource allocation message, for storing the HARQ region definition information and the Persistent Region ID, for determining a location of persistent resources in the HARQ region according to the first resource allocation message, and upon receipt of the second resource allocation message including a Persistent Region ID identical to the stored Persistent Region ID, for determining a location of the persistent resources in the new HARQ region according to the location information of the persistent resources in the HARQ region and the second resource allocation message.
77.   The system of claim 76, wherein when the location of the HARQ region is changed, the BS location-changes the persistent resources in the HARQ region to the persistent resources in the new HARQ region, and allocates the persistent resources in the new HARQ region to the MS.
78.   The system of claim 76, wherein the location information of the persistent resources in the HARQ region is identical to location information of the persistent resources in the new HARQ region.
79.   The system of claim 78, wherein when the HARQ region and the new HARQ region each comprise DownLink (DL) resources, the HARQ region definition information of the HARQ region and the HARQ region definition information of the new HARQ region each include an Orthogonal Frequency Division Multiple Access (OFDMA) symbol offset, a subchannel offset, the number of OFDMA symbols, and the number of subchannels; and
wherein the location information of the persistent resources in the HARQ region and the location information of the persistent resources in the new HARQ region each comprise a slot offset.
80.   The system of claim 79, wherein the slot offset of the persistent resources in the HARQ region is counted from a lowest-numbered OFDMA symbol in a lowest-numbered subchannel of the HARQ region, and the slot offset of the persistent resources in the new HARQ region is counted from a lowest-numbered OFDMA symbol in a lowest-numbered subchannel of the new HARQ region.
81.   The system of claim 77, wherein when the HARQ region and the new HARQ region each comprise UpLink (UL) resources, the HARQ region and the new HARQ region are each defined by the HARQ region definition information, and the HARQ region definition information includes an Orthogonal Frequency Division Multiple Access (OFDMA) symbol offset and a subchannel offset; and
wherein the location information of the persistent resources in the HARQ region and the location information of the persistent resources in the new HARQ region each comprise a slot offset.
82.   The system of claim 81, wherein the slot offset of the persistent resources in the HARQ region is counted from a start region defined by an OFDMA symbol offset and a subchannel offset, used for defining the HARQ region, and the slot offset of the persistent resources in the new HARQ region is counted from a start region defined by an OFDMA symbol offset and a subchannel offset, used for defining the new HARQ region.
83.   The system of claim 76, wherein when the location information of the persistent resources in the HARQ region comprises a slot offset, the MS determines the location of the persistent resources in the new HARQ region using the HARQ region definition information of the new HARQ region and the slot offset.
84.   The system of claim 76, wherein the MS stores the HARQ region definition information of the new HARQ region.
ABSTRACT OF THE DISCLOSURE
A method and apparatus for allocating resources in a wireless communication system is provided. A Base Station (BS) allocates persistent resources in a Hybrid Automatic Repeat Request (HARQ) region to a Mobile Station (MS), changes a location of the HARQ region, location-changes persistent resources in the HARQ region to persistent resources in a new HARQ region, and allocates the persistent resource to the MS. The new HARQ region is the location-changed HARQ region.
【図１】
2010063074.tif 000012
【図２】
2010063074.tif 000013
【図３】
2010063074.tif 000014
【図４】
2010063074.tif 000015
【図５】
2010063074.tif 000016
【図６】
2010063074.tif 000017
【図７】
2010063074.tif 000018
【図８】
2010063074.tif 000019
【図９】
2010063074.tif 000020
【図１０】
2010063074.tif 000021